(57)【要約】【課題】遊技釘が折損してしまった場合に、元の遊技釘の配置状態に復元し易くすることが可能な遊技釘交換具を操作可能な遊技機を提供する。【解決手段】遊技釘の交換作業に使用可能な遊技釘交換具５００には、遊技板に当接する傾斜面を有する受け部材５１３が設けられ、この傾斜面が作動部材５１２の移動方向に対して傾斜して形成され、また、作動部材５１２の移動方向に相当する作動部材５１２の中心軸を軸として回動操作可能に設けられている。このため、受け部材５１３の傾斜面を遊技板に当接させると、遊技板の前面または後面が作動部材５１２の移動方向に対して傾斜した状態で遊技板に受け部材５１３が当接する。作動部材５１２が遊技釘を移動させる程度の押圧力が作用しても、遊技釘の軸方向に沿って作動部材５１２が進行し易く、比較的容易に遊技釘の交換を行うことができる。【選択図】  図９
2020121149.tif 000002
【特許請求の範囲】
【請求項１】
交換の対象とする交換対象の遊技釘に押圧力を付与して遊技板から前記交換対象の遊技釘を押し出す押し出し操作に使用可能な遊技釘交換具によって遊技釘の押し出し操作および遊技釘の差し込み操作の少なくとも一方の操作が可能な弾球遊技機用の遊技板であって、予め貫通して形成される一定内径の貫通穴部に前記遊技釘の一端部が保持されている遊技板を備えた遊技機であって、
遊技釘が打ち込まれた遊技板の一部を配置可能な所定の配置空間を隔てて設けられる複数の支持部と、該複数の支持部を連結する本体部とを有するベース部材と、
該ベース部材に設けられる支持部の一方を構成する第１支持部に支持され、他方の第２支持部から離間する第１方向側と前記第２支持部に近づく第２方向側とに移動可能であって、前記移動方向に略平行に延びる軸を中心とした一方側へ所定の操作部を回動操作した場合に前記第１方向側へ移動し、他方側へ前記操作部を回動操作した場合に前記第２方向側へ移動して前記遊技釘に押圧力を付与する押出用作動部材と、
前記第２支持部に対して前記移動方向に沿った軸を中心軸として回動可能に設けられ、前記遊技板が配置される前記配置空間側に向く面側に、前記第２支持部に近い側に位置する第１受け部と該第１受け部より前記第２支持部から離間した側に位置する第２受け部とが形成される受け部材とを備え、
前記受け部材の第１受け部と第２受け部とに前記遊技板の前面又は後面を当接させた場合に、前記遊技板の前面または後面が前記移動方向に対して傾斜した状態で前記遊技板に前記受け部材が当接するように構成されていることを特徴とする遊技機。
【発明の詳細な説明】
【技術分野】
【０００１】
本発明は、パチンコ機等の遊技機および該遊技機に使用される遊技釘交換具に関する。
【背景技術】
【０００２】
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定されるものであり、この遊技板として、以前はベニヤ等の木材が用いられ、近年では透明樹脂製の板材または成形品も使用されている（例えば特許文献１参照）。
【先行技術文献】
【特許文献】
【０００３】
【特許文献１】特開２００８−１６１６３８号公報
【発明の概要】
【発明が解決しようとする課題】
【０００４】
しかしながら、遊技板に固定された遊技釘が折損してしまった場合には、元の状態に遊技釘が配置された遊技盤に復元する作業が難しいという問題点がある。
【０００５】
本発明は、上記例示した事情等に鑑みてなされたものであり、遊技釘が折損してしまった場合に、元の遊技釘の配置状態に復元し易くすることが可能な遊技釘交換具および遊技機を提供することを目的とするものである。
【課題を解決するための手段】
【０００６】
上記課題を解決すべく、請求項１記載の発明は、
交換の対象とする交換対象の遊技釘に押圧力を付与して遊技板から前記交換対象の遊技釘を押し出す押し出し操作に使用可能な遊技釘交換具によって遊技釘の押し出し操作および遊技釘の差し込み操作の少なくとも一方の操作が可能な弾球遊技機用の遊技板であって、予め貫通して形成される一定内径の貫通穴部に前記遊技釘の一端部が保持されている遊技板を備えた遊技機であって、
遊技釘が打ち込まれた遊技板の一部を配置可能な所定の配置空間を隔てて設けられる複数の支持部と、該複数の支持部を連結する本体部とを有するベース部材と、
該ベース部材に設けられる支持部の一方を構成する第１支持部に支持され、他方の第２支持部から離間する第１方向側と前記第２支持部に近づく第２方向側とに移動可能であって、前記移動方向に略平行に延びる軸を中心とした一方側へ所定の操作部を回動操作した場合に前記第１方向側へ移動し、他方側へ前記操作部を回動操作した場合に前記第２方向側へ移動して前記遊技釘に押圧力を付与する押出用作動部材と、
前記第２支持部に対して前記移動方向に沿った軸を中心軸として回動可能に設けられ、前記遊技板が配置される前記配置空間側に向く面側に、前記第２支持部に近い側に位置する第１受け部と該第１受け部より前記第２支持部から離間した側に位置する第２受け部とが形成される受け部材とを備え、
前記受け部材の第１受け部と第２受け部とに前記遊技板の前面又は後面を当接させた場合に、前記遊技板の前面または後面が前記移動方向に対して傾斜した状態で前記遊技板に前記受け部材が当接するように構成されていることを特徴とする。
【発明の効果】
【０００７】
本発明によれば、遊技釘が折損してしまった場合に、元の遊技釘の配置状態に復元し易くすることが可能な遊技釘交換具および遊技機を提供することができる。
【図面の簡単な説明】
【０００８】
【図１】第１実施形態におけるパチンコ機の斜視図である。
【図２】遊技盤の正面図である。
【図３】遊技釘の固定状態を示す縦断面図である。
【図４】始動入賞口の上側に設けられる２本の遊技釘を示した横断面図である。
【図５】第２実施形態における遊技釘の固定状態を示す縦断面図である。
【図６】第３実施形態における遊技釘の固定状態を示す縦断面図である。
【図７】遊技釘交換具の斜視図である。
【図８】遊技釘交換具の側面図である。
【図９】遊技釘交換具の一部を断面視した側面図である。
【図１０】遊技釘交換具を構成する一部の部材を示した側面図および縦断面図である。
【図１１】遊技釘交換具を構成する一部の部材を示した斜視図である。
【図１２】押し出し操作に使用する部材の取り外し手順を示す説明図である。
【図１３】差し込み操作に使用する部材の取り付け手順を示す説明図である。
【図１４】折損した遊技釘の押し出し操作の説明図である。
【図１５】折損した遊技釘の押し出し操作の部分拡大図である。
【図１６】遊技釘の差し込み操作の説明図である。
【図１７】遊技釘の差し込み操作の部分拡大図である。
【図１８】センター装飾部材を取り外した遊技盤に対して遊技釘交換具を配置した状態を示す正面図である。
【図１９】他の実施形態としての受け部材を示す側面図および斜視図である。
【図２０】他の実施形態としての位置決め部材が追加された遊技釘交換具を示す斜視図である。
【図２１】他の実施形態としてのベース部材を有する遊技釘交換具を示した側面図である。
【図２２】（ａ）は他の実施形態における押出用支持部材の側面図であり、（ｂ）は他の実施形態における差込用支持部材の側面図であり、（ｃ）及び（ｄ）は各支持部材の使用状態を示す説明図であり、（ｅ）は他の実施形態における差込用支持部材の側面図である。
【図２３】（ａ）は他の実施形態における差込用支持部材の縦断面図であり、（ｂ）は差込用支持部材の一部断面図であり、（ｃ）は差込用支持部材の使用状態を示す説明図である。
【発明を実施するための形態】
【０００９】
以下、本発明の実施形態として、遊技機の一種であるパチンコ遊技機（以下、「パチンコ機」という）を参照して説明する。図１は、本発明の第１実施形態におけるパチンコ機１０の斜視図、図２はパチンコ機１０に備えられる遊技盤２０の正面図である。
【００１０】
パチンコ機１０には、図１に示すように、その中央部分に透明なガラス板１１が前後一対に配置された窓部１２が設けられ、その窓部１２を介して、遊技球が前面側を流下する遊技盤２０が遊技者から視認可能とされている。窓部１２の下側には、上下２つの球皿１３，１４が設けられ、この球皿１３，１４内に遊技球が貯留される。球皿１３，１４の右側には、発射ハンドル１５が設けられ、遊技者が発射ハンドル１５を操作すると、上側の球皿１３に貯留された遊技球が１球ずつ、遊技盤２０の前面側に向けて発射される。
【００１１】
遊技盤２０には、図２に示すように、略円形状に外周が区画された内側部分に遊技領域２１が形成されている。遊技領域２１の中央部および下側部分における左右両側には、センター装飾部材２２および複数のサイド装飾部材２３が設けられ、それら装飾部材２２，２３を避けた遊技領域２１の全域に多数の遊技釘１００が設けられている。多数の遊技釘１００が設けられた領域には、一般入賞口２４、始動入賞口２５，２６、大当たり時に開放される入賞口を開閉する可変入賞装置２７、スルーゲート２８等の遊技者にとって特典が付与される入球口が設けられ、それら入球口に遊技球が入球することで賞球が払い出されたり、大当たり等の抽選が行われたりする。遊技盤２０は、図２に示すように、その外形を形成する合成樹脂製の遊技板５０を備え、遊技板５０の表面側から多数の遊技釘１００が打ち込まれて取り付けられている。
【００１２】
遊技板５０は、遊技釘１００を保持する透明な樹脂により形成された板状の部材であり、ポリカーボネート樹脂、アクリル樹脂等の透明な合成樹脂を射出成形して形成されている。遊技板５０は、必ずしも射出成形により形成する必要はなく、押出成形で形成された板状の部材にルータ加工を施して装飾部材等が取り付けられる貫通穴などを形成しても良いし、必ずしも１枚の板状部材で形成する必要はなく、複数の板状部材を重ね合わせて形成しても良い。遊技板５０の色についても、無色透明であっても、有色透明であっても良く、または透光性を有しない有色不透明の合成樹脂により形成されていても良い。
【００１３】
図３は、遊技板５０と遊技釘１００との固定状態を示す縦断面図である。図３に示すように、遊技釘１００は、遊技板５０に対して一端側が保持され、遊技板５０の前面５１が向く前方側に突出するようにして遊技板５０に取り付けられている。この遊技釘１００が突出する側が遊技盤２０の前面側に設けられる遊技領域に相当し、この前面側を遊技球が流下する。
【００１４】
遊技釘１００は、図３に示すように、細長く形成された軸部１０１と、軸部１０１の一端側であって遊技板５０の前面５１側に突出する先端側端部（突端部）にて軸部１０１より太く形成された頭部１０２とを有している。この遊技釘１００は、金属製であり、例えば、黄銅によって形成され、線材に対して転造などの圧造加工を施して形成されている。
【００１５】
軸部１０１は、頭部１０２とは反対側となる端部に遊技板５０に保持される保持部１１１を有している。この保持部１１１は、二条の螺旋状の突条がローレット加工により形成されたねじ形状に形成されている。保持部１１１の更に先端側の先端面１１２は、半球状に形成されている。
【００１６】
遊技板５０とガラス板１１の間を流下する遊技球は、図３に示すように、軸部１０１の一部分であって、保持部１１１と頭部１０２との間にて断面形状が円形の一定形状に形成された当接部１１３に当接する。遊技板５０に対して遊技釘１００は、上側に一定の傾斜を設けて取り付けられ、例えば、水平より５度上側に傾斜させて取り付けられ、上方から遊技釘１００に当接した遊技球が遊技板５０側に案内され、遊技板５０の前面５１に沿って遊技球が落下し易く構成されている。
【００１７】
軸部１０１の一部分であって、当接部１１３を一部分とする断面形状が一定に形成された部位の外径Ｄ１は、保持部１１１の外径Ｄ２より細く形成され、例えば、略１．８５ｍｍの外形とされている。この当接部１１３に相当する部分が素材としての線材の外径と略同一とされ、保持部１１１に対しては、当接部１１３より大きな塑性変形が圧造加工により施される。このため、加工硬化により当接部１１３より保持部１１１の方が硬く形成されている。ここで、保持部１１１の外径Ｄ２とは、軸部１０１の中心となる軸線から最も離れた突条の外周側の端に相当する最大部分における外径である。
【００１８】
遊技板５０に対して保持部１１１は、図３に示すように、大部分が遊技板５０の前面５１より奥側に相当する遊技板５０の厚み内に挿入され、一部が遊技板５０の前面５１より前方側に突出する長さに設定されている。遊技板５０の前面５１より前方側に保持部１１１が突出する突出量は僅かな量であり、略０．３ｍｍとされている。遊技球の当接や角度調整のためのハンマの打力が遊技釘１００の突出している部位に加えられると、遊技板５０に設けられる釘穴５２の縁部分には高い曲げ応力が生じ、釘穴５２の縁部分と遊技釘１００の表面との接触力も高いものとなる。この場合に、当接部１１３などよりも表面が硬化した保持部１１１が釘穴５２の縁部分に当接する構成とされるため、遊技釘１００の折損を防止することができる。なお、保持部１１１の軸方向に沿った長さは、例えば、略４．０ｍｍとされ、遊技板５０の前面５１より遊技釘１００が突出する突出量は、例えば、略１８．５ｍｍとされている。
【００１９】
遊技板５０には、遊技釘１００を挿入する前に予め保持部１１１より小径で断面円形の釘穴５２を穿孔し、その釘穴５２に遊技釘１００が挿入される。詳しくは、遊技釘１００は、頭部１０２を押さえられ、釘穴５２内に保持部１１１のねじ形状に沿って回転しつつ釘穴５２内に挿入される。
【００２０】
この釘穴５２として予め穿孔される内径Ｄ３は、遊技板５０から遊技釘１００を引き抜く方向側への力に対抗する保持力（以下、引き抜き力と称す。）が略２５０Ｎから略５００Ｎの範囲内となるように設定されている。引き抜き力は、頭部１０２を工具で掴んだ状態で遊技釘１００を軸方向に沿って抜く方向側への力を測定し、遊技釘１００が抜き出されることとなる力を測定することで求められる。この引き抜き力は、釘穴５２における遊技釘１００を保持する部位の内径Ｄ３と遊技釘１００の保持部１１１の外径Ｄ２との差に相当する締め代によって変化し、締め代が大きくなるほど引き抜き力が高くなり、締め代が小さくなると引き抜き力が低くなる。
【００２１】
引き抜き力は、内径Ｄ３が異なる複数種類の釘穴５２を遊技板５０に穿孔し、保持部１１１の外径Ｄ２を一定とした遊技釘１００を挿入して固定し、各遊技釘１００の引き抜き力を測定することで設定した。この測定結果より、保持部１１１の外径Ｄ２および釘穴５２の内径Ｄ３の許容寸法が決定されている。
【００２２】
保持部１１１が２．０８ｍｍの遊技釘１００に対して遊技釘１００の引き抜き力を測定した結果、釘穴５２の内径Ｄ３が１．８４ｍｍから１．８８ｍｍの範囲（徐変範囲）では、釘穴５２の内径Ｄ３が０．０１ｍｍ変化する毎に３０Ｎ〜５０Ｎの範囲内で変化した。また、この徐変範囲においては、釘穴５２の内径Ｄ３が０．０１ｍｍ減少する毎に次第に引き抜き力の減少量が低下した。一方、１．８８ｍｍより内径Ｄ３を拡大した範囲（急変範囲）として、釘穴５２の内径Ｄ３を１．８９ｍｍとした場合には、１．８８ｍｍの場合と比較して引き抜き力が大きく低下し、釘穴５２の内径Ｄ３の０．０１ｍｍの変化に対して引き抜き力が６０Ｎ以上低下した。本実施形態においては、この釘穴５２の内径Ｄ３の変化量に対して、引き抜き力が大きく低下する１．８８ｍｍを釘穴５２の内径Ｄ３の基準寸法として設定されている。なお、釘穴５２の内径Ｄ３が１．８８ｍｍの場合における引き抜き力は略４４０Ｎであった。
【００２３】
釘穴５２の内径Ｄ３の違いは、ハンマで遊技釘１００の頭部１０２を叩いて遊技釘１００の角度を規定の角度に調整する場合の感触に影響する。合成樹脂製の遊技板５０は、木製の遊技板に比べて硬質であり、釘穴５２に保持された遊技釘１００を叩いた感触は、合成樹脂製の遊技板５０においては硬く、木製の遊技板においては柔らかい。この違いは、遊技釘１００に当接する遊技球の挙動にも影響し、木製の遊技板においては遊技釘に当接した遊技球が反発しやすく、それに比して合成樹脂製の遊技板５０においてはその反発がしにくい。
【００２４】
また、釘穴５２の内径Ｄ３の違いによって、遊技釘１００の繰り返し曲げに対する耐久性も変化する。具体的には、遊技釘１００の頭部１０２に対して力を加えて、遊技釘１００を遊技板５０の前面５１と平行な一方側と他方側、例えば、左側と右側とに交互に塑性変形を伴う曲げ変形を生じさせた場合、釘穴５２の内径Ｄ３が大きいほど、すなわち、引き抜き力が低いほど、遊技釘１００が折損するまでの曲げ回数が多く、耐久性が高いものとなった。遊技球の当接部１１３に相当する箇所に力を繰り返し加え、塑性変形を伴わない耐久試験を実施した結果においても、釘穴５２の内径Ｄ３が大きいほど、すなわち引き抜き力が低いほど、耐久性が高いものとなった。
【００２５】
遊技釘１００の引き抜き力は、木製の遊技板において２５０Ｎ程度であり、この木製の遊技板における遊技球の挙動および遊技釘１００の調整の際の感触を近づけるために、本実施形態においては遊技釘１００の引き抜き力は、略２５０Ｎから略５００Ｎの範囲内となるように設定している。この引き抜き力の設定としては、例えば、略２５０Ｎから略４００Ｎとした方が良く、略２５０Ｎから略３５０Ｎとした方が好適である。ただし、この引き抜き力の許容範囲を狭めるほど、釘穴５２の内径Ｄ３と保持部１１１の外径Ｄ２の寸法を厳しく管理する必要があるため、製造コスト等を考慮して一定以上の範囲に設定することが好ましい。
【００２６】
図４は、上側の始動入賞口２５の上側部分に設けられる２本の遊技釘１００を模式的に示した図である。２本の遊技釘１００は、互いの頭部１０２が離間する方向側に曲げられた状態とされている。２本の遊技釘１００の角度は、頭部１０２の付け根部分の間隔を、薄板状で間隔Ｗに設定された金属製のゲージ３０を差し込んで規定の間隔Ｗとすることで設定する。この規定の間隔Ｗとして、遊技釘１００の頭部１０２の間隔の方が遊技釘１００の付け根側より広げられる幅とすることで、遊技者から見て遊技球が始動入賞口２５に入りやすく見える。しかし、この２本の遊技釘１００およびその周辺の遊技釘１００の引き抜き力によっては、全く同じ配列、同じ間隔、同じ角度に遊技釘１００が配置されていても、始動入賞口２５への遊技球の入賞確率が異なるものとなる。従来からのパチンコ機に慣れた遊技者にとっては、見た目と比べて入賞確率が低いと、遊技場や遊技機メーカーに嫌悪感を抱くことも考えられるため、合成樹脂製の遊技板５０において、引き抜き力は木製の遊技板に近づけた低い値に設定することが好ましい。これにより、遊技釘１００に当接する遊技球の挙動が木製の遊技板における遊技球の挙動に近く、熟練の遊技者にも親しみ易い遊技機を提供することができる。
【００２７】
このように、パチンコ機１０においては、遊技釘１００における当接部１１３より表面が硬い硬質部としての保持部１１１が遊技板５０の前面５１に対して前後両側に位置している。このため、遊技板５０の前面５１における釘穴５２の縁部分に遊技釘１００が接触することがあっても、その部位は当接部１１３よりも硬質な部位である。よって、釘穴５２の縁部分と遊技釘１００との当接による遊技釘１００の折損を抑制することができ、樹脂製の遊技板５０における遊技釘１００の調整作業を好適に行うことができる。
【００２８】
また、当接部１１３より表面が硬い保持部１１１は、遊技板５０の前面５１より僅かに突出した状態とされている。このため、保持部１１１と保持部１１１より軟らかい軸部１０１との境界位置を視認することで遊技釘が規定位置にあるか否かを容易に確認することができ、遊技釘１００を規定位置に管理し易くすることができる。また、遊技板５０が透明であるので、保持部１１１が透明な遊技板５０によって透視でき、さらには遊技板５０の前面５１より前方側に突出する保持部１１１の突出量は僅かであるため、保持部１１１が完全に遊技板５０の前面５１より奥側に入り込んでいるものとの見た目に大差がない。従来における樹脂製の遊技板を用いたパチンコ機においては保持部が遊技板の前面より奥側に位置させるものの、そのパチンコ機と見栄えは変わらず、しかも遊技釘１００を規定位置に管理しやすいパチンコ機とすることができる。
【００２９】
また、従来の樹脂製の遊技板における遊技釘の引き抜き力は、木製の遊技板における引き抜き力の２倍以上に相当する５００Ｎより大きな値とされていた。樹脂製の遊技板は、木製の遊技板に比べて、締め代の変化に対して引き抜き力が大きく変化し、この変化量は、上記したように、一定量以上の締め代においては釘穴の内径の変化に対する変化量が少なくなるため、変化量が少なくなる寸法まで締め代を大きくし、それに伴い遊技釘の引き抜き力は大きな値となっていた。
【００３０】
これに対し、本発明におけるパチンコ機１０においては、樹脂製の遊技板５０における遊技釘１００の引き抜き力が低く抑えられた締め代とされ、遊技釘１００の保持力が低く抑えられている。この保持力の低下により、遊技釘１００の角度調整における感触が柔らかくて作業性が良く、また、遊技釘１００に当接する遊技球の挙動が木製の遊技板における遊技球の挙動に近く、熟練の遊技者も親しみ易い遊技機とすることができる。
【００３１】
ここで、上記した第１実施形態に代えて、全ての遊技釘１００に対しての引き抜き力を低く設定するように、寸法管理を厳しくしなくても、入賞口への入賞等、遊技の結果に影響しやすい遊技釘１００（特定遊技釘１００ａ）に対しての引き抜き力のみが低くなるようにしても良い。図３に示すように、入賞口の上流側や、入賞通路の入口付近、或いは、遊技領域２１に入った遊技球が最初に当接する部位等の特定部位６１に設けられる複数の特定遊技釘１００ａが設けられる釘穴５２は、他の釘穴５２に比べて内径Ｄ３の許容寸法の中央値を大きく設定しても良い。すなわち、締め代が異なる複数種類の係合構造となるように遊技釘および釘穴の寸法を設定し、特定遊技釘１００ａの釘穴５２は、基準寸法の１．８８ｍｍに対して大小０．０１ｍｍの範囲を許容寸法として設定する一方、特定遊技釘１００ａ以外の一般遊技釘１００ｂは、基準寸法に対してマイナス０．０１ｍｍからプラス０．０３ｍｍまでの許容寸法とする。平均寸法として０．０１ｍｍの差となるものの、許容寸法が拡げられた釘穴５２に対しては加工の速度を速めたり、管理コストを低減したりすることができ、製造時などにおいて角度調整が施されやすい特定遊技釘１００ａについては耐久性やハンマで叩いた感触を柔らかなものとする等、機能性を向上することができる。
【００３２】
次に、一般遊技釘１００ｂに比べて特定遊技釘１００ａの引き抜き力を低下させる他の形態について説明する。図５は、第２実施形態における遊技板２００における遊技釘１００の固定状態を示す縦断面図である。上記した第１実施形態と遊技釘１００は同一形状であり、釘穴の形状が異なっている。以下、第１実施形態における構成と同一の構成については同一の符号を付して説明を省略し、第１実施形態と異なる部分を説明する。
【００３３】
第２実施形態における釘穴２０２は、図５に示すように、遊技板５０における遊技釘１００が突出する前面２０１側の内径Ｄ４が大きい段付きの断面円形の穴形状に形成され、奥側の内径Ｄ３が前面２０１側の内径Ｄ４より小さく形成されている。遊技釘１００の保持部１１１は、奥側の内径Ｄ３の部分に保持されている。遊技板２００の前面２０１からの遊技釘１００の突出量は、第１実施形態における突出量と同一に設定され、保持部１１１の一部が遊技板２００の前面２０１より前方側に位置している。かかる段付き釘穴２０２は、上記した特定遊技釘１００ａが配置される位置に設けられ、一般遊技釘１００ｂに対しては上記した第１実施形態における断面一定の釘穴５２が設けられている（図２および図３参照）。
【００３４】
段付き釘穴２０２は、遊技板２００に対して保持部１１１より小さい内径Ｄ３を遊技板２００の前後に貫通するように形成し、その工程とは別工程で保持部１１１より大きな内径Ｄ４を遊技板２００の前面２０１側から奥面に貫通しない一部に形成する。大きな内径Ｄ４を形成する工程は、奥側の内径Ｄ３を形成する前に形成しても、その後に形成しても良い。
【００３５】
一般遊技釘１００ｂの釘穴５２の内径Ｄ３は、段付き釘穴２０２の内径と同一の基準寸法とし、上記第１実施形態における基準寸法より小さな内径とし、例えば、０．０２ｍｍ小さな内径とする。基準寸法が小さくされた分、遊技釘１００の引き抜き力が高くなるものの、その保持部１１１の軸方向における内径Ｄ３に保持される保持長さは、段付き釘穴２０２において短く形成され、段付き釘穴２０２に保持される特定遊技釘１００ａの引き抜き力は一般遊技釘１００ｂと比べて低くなる。このように構成することで、一般遊技釘１００ｂおよび特定遊技釘１００ａの保持部１１１を保持する部分の内径Ｄ３を共通化し、同一の工具で加工することができる。そして、その加工速度を特定遊技釘１００ａにおける奥側の内径Ｄ３を加工する際には、一般遊技釘１００ｂにおける内径Ｄ３を加工するときより遅くすることで工具の軸がぶれにくくなって、精度の高い内径Ｄ３を形成することができる。
【００３６】
また、遊技釘１００が保持される保持部１１１は、特定遊技釘１００ａの方が遊技板２００の前面２０１より奥側となり、同一の突出量で遊技釘１００が設けられても特定遊技釘１００ａにおける遊技球が弾み易いものとなり、木製の遊技板に近い遊技球の挙動を合成樹脂製の遊技板２００で実現しやすくすることができる。
【００３７】
次に、第３実施形態について説明する。第３実施形態においては、遊技釘１００の形状が第１実施形態および第２実施形態と異なるものであり、また、遊技板５０の厚みが厚く形成されている。図６は、第３実施形態における遊技釘の固定状態を示す縦断面図である。以下、第３実施形態における遊技釘の固定構造について、第１実施形態と異なる部分を説明する。
【００３８】
第３実施形態における遊技釘１５０は、頭部１０２と保持部１１１との間の軸部分が一定の断面形状でなく、保持部１１１に近い一部分に外周が細く形成されたくびれ部１５２が設けられ、そのくびれ部１５２の長さ分、第１実施形態における遊技釘１００より長く形成されている。このくびれ部１５２は、黄銅の線材を細く圧造加工することにより形成され、加工硬化により遊技球が当接する当接部１１３等に比べて表面が硬く形成されている。くびれ部１５２は、軸部１５１の長さ方向における中央部が最も細く、その両側が次第に太く形成され、側面視において円弧状に凹んで形成されている。くびれ部１５２の軸方向の長さは例えば２ｍｍとされ、最小部分の直径は例えば１．７５ｍｍとされている。このくびれ部１５２の一部は、遊技板３００の前面３０１より前方側に０．３ｍｍ突出するように位置し、残りの部分が遊技板３００の厚み内に位置している。遊技板３００は、第１実施形態における遊技板５０より厚く形成され、遊技釘１５０の保持部１１１は、軸部１０１の軸方向に沿った全域が保持される。釘穴３０２の内径Ｄ３は、上記した第１実施形態における釘穴５２の内径Ｄ３と同一である。
【００３９】
この第３実施形態における遊技釘１５０が遊技板３００に設けられることにより、第１実施形態における遊技釘１００と比べて、遊技球が当接する当接部１１３と保持部１１１との間隔を離間させることができ、遊技球が弾み易く、木製の遊技板に近い遊技球の挙動を合成樹脂製の遊技板３００で実現することができる。
【００４０】
また、くびれ部１５２は、遊技板３００の前面３０１における釘穴５２の縁部分に当接するものの、当接部１１３に比べて硬化した高硬度の部位であり、しかも、その部位が細く形成されているので、遊技釘１００と釘穴５２の縁部分とが接触しにくく、接触したとしてもその接触力が低くなることで、遊技釘１００の折損を防止することができる。
【００４１】
次に、パチンコ機１０等に取り付けられる遊技釘が折損した場合に、その遊技釘を交換対象の遊技釘として新たな遊技釘に交換する作業に使用可能な遊技釘交換具５００について、図７以降を参照して説明する。図７は、遊技釘交換具５００の斜視図、図８は、遊技釘交換具５００の側面図、図９は、遊技釘交換具５００の一部を断面視した側面図である。図１０および図１１は、遊技釘交換具５００を構成する一部の部材を示した図であり、図１０（ａ）は、押出用作動部材５６２と、押出用支持部材５６１と、スペーサ５２２の側面図、図１０（ｂ）は、押出用支持部材５６１およびスペーサ５２２の縦断面図、図１０（ｃ）は、差込用作動部材５７２と、差込用支持部材５７１の側面図、図１０（ｄ）は、差込用支持部材５７１の縦断面図、図１１（ａ）は、押出用支持部材５６１とスペーサ５２２の斜視図、図１１（ｂ）は、差込用支持部材５７１の斜視図、図１１（ｃ）は、受け部材５１３および固定ねじ５２３の斜視図である。なお、図７から図９においては、作動部材５１２および先端側支持部材５１６として、押し出し操作に使用される押出用作動部材５６２および押出用支持部材５６１が取り付けられた遊技釘交換具５００を図示している。また、図１０（ｃ）においては、遊技釘を併せて図示している。
【００４２】
遊技釘交換具５００は、遊技板に固定される遊技釘が折損した場合に、折損した遊技釘を交換対象として、その交換対象の遊技釘に押圧力を付与して遊技板から折損後の遊技釘を押し出す押し出し操作に使用可能な工具である。また、遊技釘交換具５００は、押し出し操作後に遊技板に対して差し込まれる新たな遊技釘に押圧力を付与して遊技板に遊技釘を差し込む差し込み操作にも使用可能な工具である。
【００４３】
遊技釘交換具５００は、図７から図９に示すように、作業者によって把持されるベース部材５１１と、ベース部材５１１に対して移動可能に取り付けられて遊技釘に押圧力を付与する作動部材５１２と、ベース部材５１１に取り付けられて作動部材５１２による押圧力を遊技板の反対面側にて支持する受け部材５１３と、受け部材５１３をベース部材５１１に対して固定するための受け部材取付軸５１４および受け部固定部材５１５と、作動部材５１２を支持するためにベース部材５１１に取り付けられる２つの支持部材５１６，５１７と、作動部材５１２の取付および作動のために操作される２つの操作部材５１８，５１９を備えている。
【００４４】
ベース部材５１１は、図８に示すように、一定の厚みを有する側面視略矩形状の金属製の部材であり、一方側の辺より他方側に凹んだ３つの凹み部５３１，５３２，５３３と、長穴５３４とを穿設した形状に形成されている。ベース部材５１１は、アルミ等の金属材料を使用しても良く、鋳造により形成しても良いし、切削加工により形成しても良い。
【００４５】
ベース部材５１１は、図８に示すように、一定の幅を有するようにして作業者が把持可能に形成された本体部５４１と、本体部５４１に対して一定の間隔を隔てて一方側（図８の左側）に突出する作動側突出部５４２および受け側突出部５４３とを有している。ベース部材５１１の作動側突出部５４２および受け側突出部５４３の間部分には、側面視コの字状の遊技板用凹み部５３３が形成され、この遊技板用凹み部５３３に交換対象の遊技釘が差し込まれた遊技板が配置可能とされている。
【００４６】
ベース部材５１１の作動側突出部５４２の突出方向側端部には、図８に示すように、遊技板用凹み部５３３に近い位置にて突出する先端側突出部５４４と、遊技板用凹み部５３３から遠い位置にて突出する基端側突出部５４５とを有している。先端側突出部５４４と基端側突出部５４５との間部分には、遊技板用凹み部５３３より深さ（図８の右側方向への長さ）が浅い操作用凹み部５３２が形成され、その幅（図８の上下方向に沿った長さ）が先端側突出部５４４に取り付けられる支持部材５１６より長く設定されて、操作用凹み部５３２を通じて支持部材５１６の取り付けおよび交換が可能とされている。
【００４７】
操作用凹み部５３２に対して本体部５４１側（図８の右側）に設けられる長穴５３４は、先端側突出部５４４および基端側突出部５４５の並ぶ方向に沿って長く形成されている。この長穴５３４における本体部５４１を形成する部分と、遊技板用凹み部５３３の底部分とは、略一直線上に設けられ、ベース部材５１１の外周に対して一定の幅を有する部分が、長穴５３４から遊技板用凹み部５３３側に跨がるようにして本体部５４１がベース部材５１１の全長にわたって一定幅となる形状とされている。本体部５４１の幅は、ベース部材５１１の厚み（図８の紙面垂直方向の厚み）に対して若干大きく設定され、ベース部材５１１における長穴５３４と遊技板用凹み部５３３との間部分に相当する連結部５４６の幅は、図８に示すように、本体部５４１の幅より薄く設定されている。
【００４８】
作業者は、長穴５３４のみに指を掛けてベース部材５１１の本体部５４１を把持しても良いし、連結部５４６を跨ぐようにして長穴５３４と遊技板用凹み部５３３との両方に指をかけてベース部材５１１を把持しても良い。本体部５４１が略一定幅に形成されることでベース部材５１１を安定して把持しやすく、また、連結部５４６が本体部５４１に比べて薄幅に設定されることで、長穴５３４と遊技板用凹み部５３３との両方に指をかけ易くされている。
【００４９】
受け側突出部５４３、先端側突出部５４４および基端側突出部５４５には、図９に示すように、中心軸が一直線上に位置するようにして貫通し、内周面に雌ねじが形成された貫通孔が設けられている。２つの支持部材５１６，５１７および受け部材取付軸５１４には、この貫通孔の雌ねじにねじ込み可能な雄ねじが外周面に形成され、先端側突出部５４４および基端側突出部５４５と受け側突出部５４３とに対して、それぞれ各部材がねじ込まれて支持可能とされている。ベース部材５１１に対して３つの部材が３カ所でねじ込み支持されることとなるが、これらの雄ねじおよび雌ねじは、３カ所において大きさおよび形状が同一のねじ形状によって形成しても良く、この場合には、ベース部材５１１の雄ねじ形成作業を同一の工具にて簡略化することができる。一方、その３カ所において、大きさおよび形状の少なくとも一方が異なるねじ形状によって雄ねじおよび雌ねじを形成しても良く、この場合には、図９に示す位置以外には、２つの支持部材５１６，５１７および受け部材取付軸５１４が取付不能とすることができる。ここで、２つの支持部材５１６，５１７のうち、先端側突出部５４４に設けられる側を先端側支持部材５１６と称し、基端側突出部５４５に設けられる側を基端側支持部材５１７と称す。
【００５０】
基端側支持部材５１７は、図９に示すように、基端側突出部５４５の貫通孔と中心軸が同軸となるようにして中央部分に貫通孔が形成された金属製の筒状部材である。基端側支持部材５１７の外周面には、基端側突出部５４５の雌ねじにねじ込み可能な雄ねじが形成され、基端側突出部５４５の貫通孔にねじ込まれることにより、貫通孔の軸方向に沿って基端側支持部材５１７が移動可能とされている。
【００５１】
基端側支持部材５１７の一端側には、図８及び図９に示すように、２つの操作部材５１８，５１９が設けられている。これら操作部材５１８，５１９のうち、一方は、作業者によって回動操作が行われる回動操作部材５１８であり、他方は、基端側支持部材５１７に対して作動部材５１２を交換可能に固定するための固定操作部材５１９である。
【００５２】
回動操作部材５１８は、図９に示すように、円筒状に形成された部位の内面に雌ねじが形成された筒状部５５１と、筒状部５５１と中心軸が同軸であって筒状部５５１より大径で外周面に凹み部が設けられた円板状のハンドル部５５２とが接合された金属製の部材である。筒状部５５１の内面の雌ねじ部分は、基端側支持部材５１７の外周面に形成された雄ねじに対応した大きさに設定され、基端側支持部材５１７が筒状部５５１内にねじ込まれた状態において、筒状部５５１の外側から固定ねじ５２１が基端側支持部材５１７の中心軸側に向かってねじ込まれることで、基端側支持部材５１７に固定ねじ５２１が押圧された状態となって基端側支持部材５１７と回動操作部材５１８とが固定され、一体化されている。
【００５３】
回動操作部材５１８のハンドル部５５２の中心部分には、筒状部５５１の雌ねじの中心軸の延長線を中心軸とし、筒状部５５１の雌ねじ部より小径に形成された雌ねじが設けられている。この小径の雌ねじには固定操作部材５１９がねじ込み固定され、基端側支持部材５１７、回動操作部材５１８および固定操作部材５１９は、一体化した状態で回動可能とされている。
【００５４】
固定操作部材５１９は、図９に示すように、回動操作部材５１８のハンドル部５５２に重なるようにして、ハンドル部５５２より小径に形成された円板状の固定操作部５５３と、固定操作部５５３の中心部より一方側に延び、外周面に雄ねじが形成された円柱軸状の固定軸部５５４とを有する金属製の部材である。固定操作部材５１９は、基端側支持部材５１７と回動操作部材５１８とが一体化された状態において、回動操作部材５１８に対して基端側支持部材５１７が位置する側とは反対側に開口する穴部分を塞ぐ部材である。この穴部分に作動部材５１２が挿入されてから、固定操作部材５１９が回動操作部材５１８にねじ込まれると、作動部材５１２の固定操作部材５１９側への移動が阻止される。この結果、ベース部材５１１に対して回動操作部材５１８を回動させることにより、回動操作部材５１８は、基端側支持部材５１７の中心軸に沿って進行可能とされ、作動部材５１２の端側（図９の上側）に固定操作部材５１９が位置することにより、固定操作部材５１９と共に作動部材５１２が進行し、作動部材５１２によって遊技釘に対する押圧力が付与される。
【００５５】
先端側支持部材５１６は、先端側突出部５４４の貫通孔と中心軸が同軸となるようにして中央部分に貫通孔が形成された筒状の金属製部材である。先端側支持部材５１６の貫通孔には、作動部材５１２の先端側部分が支持され、遊技釘を押し出したり、差し込んだりする際の押圧力が先端側支持部材５１６に支持された作動部材５１２によって遊技釘に伝達される。これら作動部材５１２および先端側支持部材５１６は、図１０（ａ）に示すように、折損後の遊技釘を押し出すための押出用支持部材５６１および押出用作動部材５６２の組合せと、図１０（ｃ）に示すように、遊技釘を差し込むための差込用支持部材５７１および差込用作動部材５７２の組合せとに分別され、押し出し操作と差し込み操作のそれぞれに対応した二種類の組合せが別々の形状で設定されている。
【００５６】
押出用作動部材５６２は、図１０（ａ）に示すように、外径の異なる円柱状の部材が中心軸を一直線上に位置するようにして連続するように形成された金属製の部材である。押出用作動部材５６２は、遊技釘に当接する先端面を一端側に有して細軸に形成された円柱形状の押出先端部５８１と、押出先端部５８１の他端側に連続して押出先端部５８１より太い円柱状で押出先端部５８１より長く形成された押出軸部５８２と、押出軸部５８２を基準として押出先端部５８１とは逆側に位置して押出軸部５８２より太軸の頭部５８３とを有している。押出先端部５８１の先端面は、押出用作動部材５６２の中心軸に垂直な平面状に形成され、折損した遊技釘に対して押出用作動部材５６２の中心軸に沿って押圧力が付与される構成とされている。
【００５７】
ここで、基端側支持部材５１７の貫通孔は、図９に示すように、ほぼ長さの全域にわたって押出軸部５８２より僅かに大きな断面円形の内径に形成され、押出軸部５８２の外周面を支持可能とされている。基端側支持部材５１７の貫通孔の一端部側は、押出用作動部材５６２の頭部５８３が入り込み可能なように段差を設けた形状とされ、押出用作動部材５６２の頭部５８３が、図９に示すように、基端側支持部材５１７と固定操作部材５１９とに挟まれた状態とされている。このため、ベース部材５１１に対して回動操作部材５１８を回動させることにより、回動操作部材５１８と固定操作部材５１９と基端側支持部材５１７と押出用作動部材５６２とが一体化された状態で、押出用作動部材５６２（作動部材５１２）の軸方向に沿って進行し、または後退可能とされている。この押出用作動部材５６２と一体化された部材がその軸方向に沿って進行可能な範囲は、回動操作部材５１８がベース部材５１１の外周面でＬ字状に凹んだ凹み部５３１に当接する位置までとされ、この位置が押出用作動部材５６２（作動部材５１２）が最も受け部材５１３側へ移動した最大進行状態となる。
【００５８】
押出先端部５８１は、遊技釘の軸部より細い外径に設定され、また、遊技板に形成される釘穴の内径より小さな外径に設定されている。押出先端部５８１の長さは、押出用支持部材５６１によって押出軸部５８２が支持された状態において、遊技板の釘穴を貫通するように十分長く設定されている。また、押出先端部５８１は、回動操作部材５１８がベース部材５１１の凹み部５３１に当接した最大進行状態において、押出先端部５８１の先端が受け部材５１３における先端側突出部５４４側を向いた傾斜面を延長した仮想平面内に進入する長さに設定され、最大進行状態において、遊技板の後面より突出する長さに設定とされている。
【００５９】
押出用支持部材５６１は、図１０（ｂ）に示すように、外径が３種類に異なり、内径が２種類に異なる円筒状の金属製部材である。押出用支持部材５６１は、図１０（ａ）に示すように、外周面に雄ねじが形成された雄ねじ部５８４を間部分として、一方側に雄ねじ部５８４より小径に外径が形成された先端部５８５を有し、反対側に雄ねじ部５８４より大径に外径が形成された摘み部５８６を有している。この摘み部５８６は、作業者によって押出用支持部材５６１を回動操作する際に摘まれる部位であり、外周面に網状に凹んだ転造加工等の滑り止め形状が施されることが好ましい。
【００６０】
押出用支持部材５６１の中心部分にて貫通する貫通孔は、その先端部５８５側において押出用作動部材５６２の押出軸部５８２の外径より小さく押出先端部５８１より僅かに大きな内径に形成されて押出先端部５８１の外周を支持する先端側孔５８７と、先端側孔５８７より大きな内径であって押出軸部５８２より僅かに大きな内径に形成されて押出軸部５８２の外周を支持する基端側支持孔５８８とを有している。
【００６１】
押出用支持部材５６１の先端部５８５の先側には、図１０に示すように、押出用支持部材５６１とは別部品として形成された筒状のスペーサ５２２が設けられている。スペーサ５２２は、遊技板の前面に当接する部材であり、金属より軟質の例えばシリコンゴム等の材料で形成されている。スペーサ５２２は、遊技釘の交換作業時において押出用支持部材５６１と遊技板との間に介在し、遊技板の傷付きを防止する。
【００６２】
スペーサ５２２の外径は、押出用支持部材５６１の先端部５８５の外径と略一致する断面円形の外径に設定され、スペーサ５２２に設けられる貫通孔の内径は、押出用支持部材５６１の先端側孔５８７と略一致して押出先端部５８１を挿通可能な大きさに設定されている。
【００６３】
スペーサ５２２の貫通孔に沿った両端側の端面のうち、一端側は貫通孔の中心軸に垂直に形成され、押出用支持部材５６１の先端部５８５に対面し、平面同士で密着した状態で接触可能とされている。一方、スペーサ５２２の端面のうち、遊技板に当接する側の端面は、図１０（ａ）および図１１（ａ）に示すように、スペーサ５２２の貫通孔の中心軸に対して垂直ではなく、傾斜した平面状、例えば、略５度傾斜した方向側を向く面形状に形成されている。上記したように、遊技板の前面に対して遊技釘が垂直でなく傾斜して設けられているので、スペーサ５２２の端面は、その傾斜に対応した角度分、貫通孔に対して傾斜して設けられ、遊技板の前面に密着して圧力を分散し、遊技板の前面を傷つけ難いものとしつつ、スペーサ５２２の中心軸は遊技釘の軸方向に沿って配置可能とし、押出用作動部材５６２も遊技釘の軸方向に沿って移動可能とされている。
【００６４】
また、スペーサ５２２は、押出用支持部材５６１とは別部品で形成されているので、押出用支持部材５６１を支持するベース部材５１１に対して押出用作動部材５６２の中心軸に対して回動自在とされる。よって、図９に示すように、スペーサ５２２の一端面が側面視で傾斜した状態としたり、その状態からスペーサ５２２を９０度または１８０度回転させて別の方向側に傾斜した状態としたりする等、種々の方向にスペーサ５２２の端面が傾斜した状態に配置可能とすることができ、ベース部材５１１が作業対象となる遊技釘に対して、いずれの側に位置してもスペーサ５２２を遊技板の前面に密着させて作業を行うことができる。
【００６５】
スペーサ５２２の外周面には、図１１（ａ）に示すように、スペーサ５２２の貫通穴と平行に延びる溝状の縦溝部５２２ａが設けられている。この縦溝部５２２ａは、スペーサ５２２における受け部材５１３側を向く傾斜面の高さの中間位置に相当する部位の一方側（図９の紙面垂直方向奥側）に設けられ、この縦溝部５２２ａの向きを確認しつつスペーサ５２２の傾斜面の向きを調整することで、簡易且つ正確にスペーサ５２２の向きを調整することができる。
【００６６】
差込用作動部材５７２は、図１０（ａ）および図１０（ｃ）に示すように、押出用作動部材５６２に対して、押出先端部５８１が取り除かれた形状に形成され、押出軸部５８２と略同一の太さおよび長さに設定された差込軸部５９２と、押出用作動部材５６２と略同一形状の頭部５９３とを有している。差込軸部５９２の端面は、図１０（ｃ）にて一部断面視して示すように、中心軸に対応する位置が最も凹んだ略半球状に形成され、差込軸部５９２によって遊技釘に押圧力が付与された場合に遊技釘の頭部が差込軸部５９２の中心側に案内されつつ遊技釘が差し込まれる。また、回動操作部材５１８がベース部材５１１に当接した最大進行状態において、押圧力が付与される遊技釘が他の遊技釘と略同一の深さで遊技板に差し込まれる長さに、差込軸部５９２の長さが設定されている。なお、差込軸部５９２の端面の凹み形状は、図１０（ｃ）に示すように、遊技釘の頭部の球面形状と同一または遊技釘の頭部の球面形状の半径より大きな半径の球面の一部形状にて形成されることが遊技釘を中心側に案内することができて好ましい。また、差込軸部５９２の端面は、必ずしも凹んだ形状とする必要はなく、差込軸部５９２の中心軸に垂直な平面状に形成しても良い。
【００６７】
差込用支持部材５７１は、図１０（ａ）から図１０（ｄ）に示すように、押出用支持部材５６１と同様に、雄ねじ部５９４と、雄ねじ部５９４より小径に外径が形成された先端部５９５と、雄ねじ部５９４より大径に外径が形成され且つ外周面に網状に凹んだ転造加工が施された摘み部５９６とを外面形状として有している。また、差込用支持部材５７１の中心部分にて貫通する貫通孔として、その先端部５９５側において差込用作動部材５７２の差込軸部５９２より小径の内径に形成された先端側孔５９７と、先端側孔５９７より大きな内径であって差込軸部５９２より僅かに大きな内径に形成されて差込軸部５９２の外周を支持する基端側支持孔５９８とを有している。
【００６８】
また、差込用支持部材５７１は、押出用支持部材５６１には設けられていない部位として、先端部５９５の一部に中心軸から離間する半径方向に貫通する貫通溝５９９が設けられている。差込用支持部材５７１の先端側孔５９７は、遊技釘の軸部より僅かに大きな内径に形成されて遊技釘の軸部の外周を支持する大きさに設定されている。また、差込用支持部材５７１の基端側支持孔５９８は、先端側孔５９７より大きな内径であって遊技釘の頭部より僅かに大きな内径に形成されて遊技釘の頭部および差込軸部５９２の外周を支持する大きさに設定されている。すなわち、差込用支持部材５７１の基端側支持孔５９８は、遊技釘の頭部を基準として大きさが決定され、その大きさに略一致するように差込用支持部材５７１の基端側支持孔５９８の内径が設定され、基端側支持孔５９８の内径に対応して各作動部材５６２，５７２の軸部５８２，５９２の外径は、大きさが略一致するようにして設定されている。このため、遊技釘交換具５００においては、共通の基端側支持部材５１７等の部材を利用しつつ、押出用支持部材５６１および押出用作動部材５６２の組合せと、差込用支持部材５７１および差込用作動部材５７２の組合せとを取り替えて、遊技釘の押し出し操作と、差し込み操作とを実行可能とすることができる。
【００６９】
差込用支持部材５７１の貫通溝５９９は、図１１（ｂ）に示すように、溝の底部分に相当する一端側（図１１（ｂ）における上側）の端部に設けられる側面視円形状の開口部６０１と、その円形状の開口部６０１の直径より細幅で一定の間隔を隔てた長溝部６０２とが連続する溝形状とされている。長溝部６０２の幅は、差込用支持部材５７１の先端側孔５９７より僅かに細幅で、遊技釘の軸部の直径より大きな幅に設定され、また、開口部６０１は、遊技釘の頭部の最大直径より大きな直径に設定されている。このため、貫通溝５９９を通じて、遊技釘は差込用支持部材５７１の貫通孔内に配置可能とされ、また、貫通孔内に配置された遊技釘は差込用支持部材５７１の貫通溝５９９を通じて相対的に外側に配置可能とされている。
【００７０】
受け部材５１３は、図９に示すように、ベース部材５１１の受け側突出部５４３にねじ込まれる雄ねじが形成された外周面を有する金属製の受け部材取付軸５１４に対して、その一端部であって遊技板用凹み部５３３側に取り付けられる部材である。受け部材５１３は、図１１（ｃ）に示すように、円環状に形成した二枚の部材を重ねて形成され、金属より軟質のシリコンゴム等の樹脂により形成された受け面部６１１と、金属製の受け支持部６１２とが接着固定されている。受け面部６１１における先端側突出部５４４側の面は遊技板に当接する受け部を形成し、受け面部６１１が軟質の樹脂により形成されることで、受け面部６１１が遊技板に当接しても傷つきにくいものとされている。この受け面部６１１は、スペーサ５２２と同様、遊技板に当接する側の面が受け部材取付軸５１４に対して垂直でなく傾斜して形成され、また、受け部材取付軸５１４が支持されるベース部材５１１に対して受け面部６１１が受け部材取付軸５１４の中心軸に対して回動自在とされる。この受け面部６１１と、スペーサ５２２とは、遊技板の前面および後面に対して遊技釘が垂直でなく傾斜した角度に相当する例えば５度傾斜して形成され、受け面部６１１およびスペーサ５２２の傾斜面を、図９に示すように、平行となるようにして遊技板を挟み込むように固定することで、遊技板を安定した状態で固定可能とされている。
【００７１】
受け面部６１１は、スペーサ５２２の外径に対して中心軸から離間する径方向の直径が大きく、具体的には、全方向において略３倍程度の大きさに設定されている。このため、スペーサ５２２に対して受け面部６１１の中央部分に向けて押圧力が付与されると、受け面部６１１とスペーサ５２２の傾斜面が平行な状態へ遷移しやすく構成されている。
【００７２】
受け支持部６１２には、受け部材５１３の中心部から半径方向に向かって貫通して内周面に雌ねじが形成された貫通孔が設けられ、この貫通孔に対して、図１１（ｃ）に示すように、固定ねじ５２３を挿通させ、固定ねじ５２３の先端部を受け部材取付軸５１４の外周面に押し当てることにより、受け部材５１３が受け部材取付軸５１４に固定可能とされている。この固定ねじ５２３は、受け部材５１３における傾斜面の高さの中間位置に相当する部位の一方側（図９の紙面垂直方向奥側）に設けられており、この固定ねじ５２３の向きを確認しつつ受け部材５１３の傾斜面の向きを調整することで、より正確に受け部材５１３の向きを調整することができる。
【００７３】
受け部材５１３において傾斜面の向きを確認可能な固定ねじ５２３と、スペーサ５２２の外周面に設けられてスペーサ５２２の傾斜面の向きを確認可能な縦溝部５２２ａとは、いずれも、回動操作の中心から離間した外周面に設けられて、作業者から視認し易く設定されている。また、受け部材５１３およびスペーサ５２２において対向する傾斜面が平行となる向きにおいては、受け部材５１３およびスペーサ５２２の向きを調整する際の回動中心軸に対して同一方向側（図９の紙面垂直方向奥側）に、受け部材５１３の固定ねじ５２３と、スペーサ５２２の縦溝部５２２ａとが配置される。このため、例えば、図９に示す状態としたい場合、作業者は、受け部材５１３およびスペーサ５２２の回動中心軸に対して同一の方向側（図９の紙面垂直方向奥側）に、縦溝部５２２ａおよび固定ねじ５２３を配置すれば良い。この調整操作により、受け部材５１３およびスペーサ５２２の回動中心軸に対して一方側（図９の右側）に、受け部材５１３におけるスペーサ５２２に近づくように高く形成された部位とスペーサ５２２における受け部材５１３から遠く離れた部位が位置し、逆側（図９の左側）に受け部材５１３におけるスペーサ５２２から遠く離れた部位とスペーサ５２２における受け部材５１３側に位置する部位とが位置した状態となる。よって、作業者は、縦溝部５２２ａおよび固定ねじ５２３を目印にして受け部材５１３およびスペーサ５２２の向きを遊技板の前面および後面に平行となる向きに設定し易く、遊技釘の交換作業を効率良く実施することができる。特に、遊技板が透過性を有して前面側から後面側が視認可能な場合には、スペーサ５２２と受け部材５１３との間に遊技板を挟んだ状態においても、固定ねじ５２３の位置を確認しつつ縦溝部５２２ａの位置を調整することができ、スペーサ５２２と受け部材５１３の向き調整が一層容易となる。
【００７４】
受け部材５１３が一端側に取り付けられる受け部材取付軸５１４は、図９に示すように、その反対側の端部が受け側突出部５４３を貫通するように受け側突出部５４３の貫通孔より長く形成され、その反対側端部には、受け部固定部材５１５が設けられている。受け部固定部材５１５は、中心部に雌ねじが形成された貫通孔を有する円環状に形成され、その外周面が厚み方向に沿った縞状に起伏して形成されて作業者が受け部固定部材５１５の回動操作時に受け部固定部材５１５に力を加えやすくされている。作業者は、予め受け部固定部材５１５をベース部材５１１から離間する程度に緩めた状態にしてから、固定ねじによって受け部材取付軸５１４と一体化された受け部材５１３の傾斜面の向きを遊技板５０とベース部材５１１の位置によって定まる適切な向きに回動操作する。適切な向きに定まった状態とした後に、受け部材取付軸５１４の反対側の受け部固定部材５１５をねじ込んで受け側突出部５４３の外側面に押圧させた状態で当接させると、この当接力によってベース部材５１１に対して受け部材取付軸５１４が回動不能とされ、受け部材５１３がベース部材５１１に固定された状態とすることができる。
【００７５】
受け部材取付軸５１４の中央部分には、軸方向に沿って一方側が開口した穴部６１３が設けられ、この穴部６１３が設けられる側が受け部材５１３側となるようにして受け側突出部５４３に取り付けられている。この穴部６１３は、受け部材５１３の貫通孔に連通し、押出用作動部材５６２が設けられる側が開口し押出用作動部材５６２の進行方向側に延びた状態で受け側突出部５４３に固定される。押出用作動部材５６２によって遊技板から押し出される折損した遊技釘は、受け部材取付軸５１４の穴部６１３の中に入り込んで受け部材取付軸５１４に受け止められる。
【００７６】
ここで、受け部材取付軸５１４の穴部６１３は、交換対象となる遊技釘の全長よりも入口から底面までの長さの方が長く設定されることが好ましい。また、受け部材取付軸５１４の穴部６１３は、パチンコ機１０が設置された状態における遊技板の後面に受け部材の傾斜面が対面して密着するように当接し、押出用作動部材５６２の移動方向と遊技釘が差し込まれる釘穴の軸方向とを略一致させた場合に、底側となる面が奥側に向けて下降傾斜する形状に形成されることが好ましい。すなわち、遊技板に対して５度上向き傾斜して遊技釘が取り付けられるように遊技板に釘穴が設けられる場合、穴部６１３の内径の連続する方向は、押出用作動部材５６２の移動方向と平行とされ、すなわち内径が一定の断面円形としても良く、遊技釘が遊技板に対して傾斜した角度に相当する例えば５度より少ない傾斜角度で次第に奥底側の内径が小さくなる形状とすることが、遊技釘の押し出し操作の際に穴部６１３の底側となる面が奥側に向けて下降傾斜することとなって好ましい。また、受け部材取付軸５１４の穴部６１３の断面は、円形以外の形状としても良いが、断面円形とすることで遊技釘交換具５００を遊技釘に対して上下左右のいずれの向きに配置しても、穴部６１３の底面が一定の角度で下降傾斜することとなって好ましい。また、受け部材取付軸５１４の穴部６１３として、押出用作動部材５６２の進行方向側に相当する奥底側の方が次第に内径が大きく形成されていても良く、この場合には、折損した遊技釘が奥側に一層案内され易いこととなって好ましい。また、穴部６１３の奥底側は、開口していても良いが、非貫通とされるか、または、貫通した形状の場合に奥底側を閉鎖可能な蓋部材を設けることが、折損した遊技釘が遊技板の後面側に落下し、遊技球の流下を妨害する等の不具合の発生を抑制することができて好ましい。
【００７７】
次に、遊技釘交換具５００の操作方法について説明する。図１２及び図１３は、遊技釘交換具５００の部材交換の手順を示す説明図である。遊技釘交換具５００を使用する作業においては、まず、遊技釘交換具５００に取り付けられている作動部材５１２および先端側支持部材５１６を確認し、必要があれば、これら部材を他の部材と交換して、作業に適した遊技釘交換具５００とする。
【００７８】
この作動部材５１２および先端側支持部材５１６の交換手順として、押出用支持部材５６１および押出用作動部材５６２の組合せを、差込用支持部材５７１および差込用作動部材５７２の組合せに交換する手順を例示して説明する。交換に際しては、まず、回動操作部材５１８に対して固定操作部材５１９を緩める方向に回動させて、固定操作部材５１９から回動操作部材５１８を取り外す（図１２（ａ）参照）。次に、回動操作部材５１８の開口穴部分を下向きにする等して押出用作動部材５６２を回動操作部材５１８から抜き出す（図１２（ｂ）参照）。
【００７９】
押出用作動部材５６２を抜き出した後は、押出用支持部材５６１の摘み部５８６を操作し、操作用凹み部５３２より、押出用支持部材５６１を抜き出す（図１２（ｃ）参照）。その後、差込用支持部材５７１、差込用作動部材５７２をベース部材５１１に順に取り付け、最後に、固定操作部材５１９を回動操作部材５１８の端側から締め付けて、部材交換が完了する（図１３参照）。なお、上記した手順を逆にすることで、差込用支持部材５７１および差込用作動部材５７２が取り付けられた遊技釘交換具５００に対して、これら部材５７１，５７２を押出用支持部材５６１および押出用作動部材５６２に交換することができる。
【００８０】
次に、遊技板５０に設けられる遊技釘１００が折損した場合において遊技釘交換具５００を使用して遊技釘１００を交換する手順について、図１４から図１７を参照して説明する。図１４及び図１５は、遊技釘交換具５００による折損した遊技釘の押し出し操作の説明図であり、図１６及び図１７は、遊技釘交換具５００による遊技釘の差し込み操作の説明図である。なお、図１４から図１７において、遊技板５０および遊技釘１００の形状および配置を簡略化して示している。
【００８１】
遊技板５０に設けられる遊技釘１００が折損した場合には、折損後の遊技釘１００を押し出すために遊技釘交換具５００として押出用支持部材５６１と押出用作動部材５６２を取り付ける。次に、折損した遊技釘１００の位置に対応した向きに受け部材５１３の向きの調整を行う。この説明においては、図１４（ａ）に示すように、ベース部材５１１が折損した遊技釘１００の上側に位置するように遊技釘交換具５００を配置して遊技釘１００の押し出し操作を行う場合を例示している。この場合、受け部材５１３の傾斜面は、受け側突出部５４３の先端側（図１４（ａ）の下側）が作動側突出部５４２から離間し、受け側突出部５４３の基端側（図１４（ａ）の上側）が作動側突出部５４２に近い側に位置する向きに受け部材５１３を回動して位置合わせし、その位置合わせの後に、受け部固定部材５１５をねじ込んでベース部材５１１に対して受け部材５１３を固定する。
【００８２】
受け部材５１３の固定後、遊技釘交換具５００の先端側突出部５４４の貫通孔に対して押出用支持部材５６１の先端側部分が僅かに入り込んだ位置となるように、押出用支持部材５６１の摘み部５８６を操作し、押出用支持部材５６１と受け部材５１３との間の隙間を広く確保する。この場合に、押出用作動部材５６２の押出先端部５８１が押出用支持部材５６１から受け部材５１３側に突出していても良いが、押出先端部５８１が受け部材５１３側から離間する方向側に回動操作部材５１８を回動操作し、押出先端部５８１が押出用支持部材５６１から受け部材５１３側に突出しないようにしておくことが、押出先端部５８１の折損や押出先端部５８１による他の部位の傷付きを防止できて好ましい。
【００８３】
以上で遊技釘交換具５００の単体状態での準備は終わり、次は、遊技釘交換具５００の本体部５４１を把持して、遊技板用凹み部５３３の間部分、詳細には、受け部材５１３と押出用支持部材５６１の先端部５８５との間に遊技板５０が位置するように遊技釘交換具５００を移動する。この移動においては、折損した遊技釘１００の後側に受け部材５１３の中心が位置するように遊技釘交換具５００を配置する。遊技釘交換具５００の配置後には、押出用支持部材５６１の先端部５８５と遊技板５０との間にスペーサ５２２を配置し、押出用支持部材５６１の摘み部５８６を回動操作して受け部材５１３側に押出用支持部材５６１を進行させ、押出用支持部材５６１の先端部５８５と受け部材５１３との間に遊技板５０とスペーサ５２２とが挟まれた状態とする（図１４（ｂ）および図１５（ａ）参照）。
【００８４】
ここで、押出用支持部材５６１の先端部５８５と遊技板５０との間にスペーサ５２２を配置するか否かは、折損した遊技釘１００の状態に応じて選択することができる。折損した遊技釘１００が遊技板５０の前面５１から突出している場合には、その突出部分にスペーサ５２２の貫通穴を嵌め込み、スペーサ５２２内に押出用作動部材５６２の先端部分が入り込むように回動操作部材５１８を操作して押出用作動部材５６２を進行させ、押出用作動部材５６２がスペーサ５２２に入り込んだ状態とした後に、押出用支持部材５６１の摘み部５８６を回動させて押出用支持部材５６１と受け部材５１３との間に、スペーサ５２２と遊技板５０とが挟まれた状態とすることが好ましい。一方、折損した遊技釘１００の先端部が遊技板５０の前面５１より奥側に位置して釘穴５２側に凹んだ状態となっている場合には、スペーサ５２２は使用しないで、釘穴５２に押出用作動部材５６２の先端を位置合わせしても良い。
【００８５】
その後、回動操作部材５１８を回動操作して押出用作動部材５６２を進行させると、その先端が折損した遊技釘１００に当接する。更に、回動操作部材５１８を回動し続けると、図１４（ｃ）に示すように、回動操作部材５１８がベース部材５１１に当接して、それ以上の回動が不能となる。この状態では、図１５（ｂ）に示すように、押出用作動部材５６２の先端が遊技板５０の後面側に突出する位置まで進行し、折損した遊技釘１００は、遊技板５０から押し出され、受け部材取付軸５１４の穴部６１３に入り込む。
【００８６】
受け部材取付軸５１４の穴部６１３は、図１５（ｂ）に示すように、受け部材５１３の貫通孔に連通し、受け部材５１３の傾斜面が遊技板５０の後面に密着した状態において、底面側が下方に位置するように傾斜した内面形状とされている。このため、折損した遊技釘１００は、遊技板５０から押し出された後に、穴部６１３の奥側へ入り込み易く、折損した遊技釘１００が遊技板５０の後面側へ落下することを抑制することができる。
【００８７】
折損した遊技釘１００が遊技板５０から押し出された後は、回動操作部材５１８を逆方向に回して、押出用作動部材５６２を受け部材５１３から離間する方向側に後退させる。遊技板５０の前面５１から押出用作動部材５６２の先端が抜け出した後には、押出用支持部材５６１の摘み部５８６を操作して押出用支持部材５６１を後退させ、遊技板５０と押出用支持部材５６１との間にスペーサ５２２が配置されている場合には、スペーサ５２２を取り外す。以上の操作により、遊技板５０に対して遊技釘交換具５００の移動が可能となり、遊技釘交換具５００を遊技板５０から取り外すことができる。
【００８８】
なお、折損した遊技釘１００は必ずしも遊技板５０の前面５１側から後面側へ押し出す必要はなく、遊技板５０の後面側に押出用作動部材５６２が位置し、遊技板５０の前面５１側に受け部材５１３が位置する向きに遊技釘交換具５００を配置して、折損した遊技釘１００を取り外しても良い。遊技釘１００が極度に曲がって変形している場合等、遊技板５０の後面側から前面５１側に遊技釘１００を取り外した方が遊技板５０の釘穴５２が削れることが少なくて好ましい場合がある。遊技釘１００の状況に応じて釘穴５２が削れ難い遊技釘１００の押し出し方向を作業者は選択することができ、遊技釘交換具５００を使用して、いずれの側からでも折損した遊技釘１００を遊技板５０から取り除くことができる。
【００８９】
次に、遊技釘１００の差し込み操作について説明する。折損した遊技釘１００を遊技板５０から除去した後には、遊技釘交換具５００を使用して、新たな遊技釘１００を差し込む差し込み操作を行う。まず、押出用支持部材５６１と押出用作動部材５６２を取り外して、差込用支持部材５７１および差込用作動部材５７２に交換する。その後、上記した遊技釘１００の押し出し操作と同様に、受け部材５１３の向き調整及び固定を行う。ただし、押し出し操作にて受け部材５１３の向きを固定しておけば、その向きで差し込み操作も通常行うことができるので、この調整及び固定操作は必ずしも行わなくても良い。その後、遊技釘交換具５００の先端側突出部５４４の貫通孔に対して差込用支持部材５７１の先端側部分が僅かに入り込んだ位置となるように、差込用支持部材５７１の摘み部５９６を操作し、差込用支持部材５７１と受け部材５１３との間の隙間を広く確保する（図１６（ａ）参照）。
【００９０】
そして、ベース部材５１１の本体部５４１を把持して、受け部材５１３と差込用支持部材５７１の先端部５９５との間に遊技板５０が位置するように遊技釘交換具５００を移動し、遊技釘１００が除去された釘穴５２の後側に受け部材５１３の中心が位置するように遊技釘交換具５００を配置する。この遊技釘交換具５００の配置後には、差込用支持部材５７１を受け部材５１３側へ進行するように摘み部５９６を操作する。差込用支持部材５７１を受け部材５１３側へ進行させた後には、差込用支持部材５７１の貫通溝５９９（図１１（ｃ）参照）を通じて新しい遊技釘１００を差込用支持部材５７１の貫通孔内に配置する。このとき、差込用支持部材５７１の貫通溝５９９が下側に開口していると、遊技釘１００が落下しやすくなって貫通孔内に配置し難いため、貫通溝５９９は、横向き又は上向きに開口するように差込用支持部材５７１の向きを調整した後に、遊技釘１００を貫通孔内に配置する（図１６（ｂ）および図１７（ａ）参照）。なお、遊技板５０に対する遊技釘交換具５００の位置合わせの前に差込用支持部材５７１の貫通孔内に新しい遊技釘１００を挿入しておいても良いが、この場合には、先端側突出部５４４に対して差込用支持部材５７１を回動操作する際には、遊技釘１００の先端側を摘んで支えておく等して遊技釘１００が落下しないようにする。
【００９１】
その後、回動操作部材５１８を回動操作して差込用作動部材５７２を進行させると、その先端が遊技釘１００の頭部１０２に当接する。更に、回動操作部材５１８を回動し続けると、図１６（ｃ）に示すように、回動操作部材５１８がベース部材５１１に当接して、それ以上の回動が不能となる。この状態においては、図１７（ｂ）に示すように、遊技釘１００が他の遊技釘１００と略同一の深さまで遊技板５０に差し込まれる。
【００９２】
遊技釘１００が遊技板５０に差し込まれた後には、回動操作部材５１８を逆方向に回して、差込用作動部材５７２を受け部材５１３から離間する方向側に後退させる。その後、新たに差し込まれた遊技釘１００が貫通溝５９９を通じて差込用支持部材５７１の外側に抜け出すように、遊技釘交換具５００を移動する。このとき、図１７（ｂ）に示すように、遊技釘１００の頭部１０２が差込用支持部材５７１の基端側支持孔５９８における先端側孔５９７側の端面に近づきすぎている場合は、差込用支持部材５７１の摘み部５９６を操作して差込用支持部材５７１が遊技板５０に近づく方向側に移動させてから、遊技釘１００を差込用支持部材５７１の外側に抜き出す。逆に、遊技釘１００の頭部１０２が差込用支持部材５７１の基端側支持孔５９８における先端側孔５９７側の端面から離れている場合には、遊技板５０から離間する方向側に差込用支持部材５７１を移動させてから、遊技釘１００を差込用支持部材５７１の外側に抜き出す。
【００９３】
遊技釘１００を差込用支持部材５７１から抜け出させた後には、遊技板５０に対して遊技釘交換具５００の移動が容易となり、遊技釘交換具５００を遊技板５０から取り外すことができる。以上の操作により、遊技釘１００の交換が完了する。
【００９４】
次に、遊技釘交換具５００を遊技板５０に対して配置する方法について、図１８を参照して説明する。図１８は、センター装飾部材２２を取り外した遊技盤２０に対して遊技釘交換具５００を配置した状態を示す正面図である。
【００９５】
遊技盤２０の中央部に設けられるセンター装飾部材２２は、遊技盤２０の前側から取付固定されていることが好ましく、この取付固定されたセンター装飾部材を取り外すと、遊技板５０の中央部に形成される開口５０ａが前側から視認可能に露出される。この開口５０ａを通じて、遊技釘交換具５００の遊技板用凹み部５３３内に、遊技板５０が入り込むように配置することで、図１８に例示するように、開口の上下左右に配置される多数の遊技釘１００に対して遊技釘交換具５００の回動操作部材５１８の中心部を位置させ、遊技釘１００の交換作業を行うことができる。このため、パチンコ機１０が遊技場に設置された状態のままで遊技盤２０を取り外すことなく、遊技釘の交換作業を行うことができる。
【００９６】
この交換作業においては、受け部材５１３の向きを調整する必要があり、ベース部材５１１が交換の対象となる遊技釘１００の上側に位置する場合には、上記説明にて例示した向きに受け部材５１３を固定する。ベース部材５１１が交換の対象となる遊技釘１００に対して左右のいずれかに位置する場合、または、下側に位置する場合のそれぞれにおいては、上記説明した角度に対して９０度または１８０度回動させた位置に受け部材５１３を固定し、作動部材５１２と釘穴５２とが同軸上に位置し、受け部材５１３の傾斜面が遊技板５０の後面に平行に当接するように受け部材５１３の向きを調整する。
【００９７】
なお、遊技釘交換具５００は、遊技釘１００に対して上下左右のいずれかの方向にベース部材５１１が位置する方向に必ずしも配置する必要はない。遊技釘１００に対して斜め方向側にベース部材５１１が位置する方向に配置しても良く、この場合にも、その方向において作動部材５１２と釘穴５２とが同軸上に位置し、受け部材５１３の傾斜面が遊技板５０の後面に平行に当接するように受け部材５１３の向きを調整すれば良い。また、遊技釘１００の間隔が狭く配置されている場合には、上記した先端側支持部材５１６やスペーサ５２２より外形を細軸としたものを準備し、また、遊技板用凹み部５３３の深さも、交換作業が必要とされる遊技釘の位置に対応した更に大きなベース部材を準備しても良く、又は遊技盤２０をパチンコ機１０から取り外して、遊技盤２０の外周側から遊技釘交換具５００の遊技板用凹み部５３３内に遊技板５０を配置して、遊技釘の交換作業を行っても良い。
【００９８】
以上説明したように、遊技釘交換具５００によれば、押出用作動部材５６２によって折損した遊技釘１００を遊技板５０から除去し、差込用作動部材５７２によって新たな遊技釘１００を遊技板５０に差し込み固定することができる。すなわち、遊技釘の交換作業に適した工具として、遊技釘交換具５００を使用することができる。
【００９９】
また、受け部材５１３において遊技板５０に当接する受け部としての傾斜面は、作動部材５１２の移動方向に対して傾斜して形成され、また、作動部材５１２の移動方向に相当する作動部材５１２の中心軸を軸として回動操作可能に設けられている。このため、遊技板５０が配置される作動側突出部５４２側を向く受け部材５１３の傾斜面によって、受け側突出部５４３に近い側に位置する低い部位５１３ｂと、低い部位５１３ｂより受け側突出部５４３から離間した側に位置する高い部位５１３ａとが形成される。そして、受け部材５１３の低い部位５１３ｂと高い部位５１３ａとの両方に遊技板５０の後面を当接させた場合には、遊技板５０の後面が作動部材５１２の移動方向に対して傾斜した状態で遊技板５０に受け部材５１３が当接することとなる。よって、作動部材５１２としての押出用作動部材５６２および差込用作動部材５７２が遊技釘１００に当接して遊技釘１００を移動させる程度に大きな押圧力が作用しても、遊技板５０の後面に対して傾斜した遊技釘１００の軸方向に沿って作動部材５１２が進行し易いものとなる。また、受け部材５１３を回動操作して傾斜面の向きを変更することで、遊技釘交換具５００（ベース部材５１１）を作業者が作業し易い方向側から遊技釘１００に近づけて遊技釘１００の交換作業を行うことができる。したがって、遊技釘１００の交換作業に不慣れな作業者でも、比較的容易に遊技釘１００の交換を行うことができる。
【０１００】
スペーサ５２２における受け部材５１３側を向く一端面は、遊技板５０の前面５１に対して遊技釘１００が傾斜して設けられる分、スペーサ５２２の貫通孔に対して傾斜して設けられ、この傾斜した角度は、受け部材５１３の傾斜面における作動部材５１２の中心軸に対する傾斜角度に一致する。そして、先端側突出部５４４に近い側に位置する近接部位（図９のスペーサ５２２の下側端面における右側部分）と、この近接部位より先端側突出部５４４から離間した側に位置する離間部位（図９のスペーサ５２２の下側端面における左側部分）とがスペーサ５２２の一端面に形成される。これらスペーサ５２２の近接部位および離間部位は、受け部材５１３の低い部位と高い部位との両方に遊技板５０の後面を当接させた場合に、遊技板５０の前面５１にいずれも当接可能な相対位置に設定されている。よって、スペーサ５２２と受け部材５１３を遊技板５０の前面５１側および後面側に密着した状態とすることで、作動部材５１２の移動方向を遊技釘の軸方向に沿って傾斜させた向きに遊技釘交換具を設置しやすくすることができ、遊技釘の交換作業を効率良く実施することができる。
【０１０１】
差込用支持部材５７１には、差込用作動部材５７２の軸方向に沿って貫通形成された先端側孔５９７および基端側支持孔５９８に対して、差込用作動部材５７２の移動方向に垂直に交差する一方側に貫通形成された遊技釘を取り出し可能な貫通溝５９９が設けられている。この差込用支持部材５７１は、ベース部材５１１の第１支持部に対して差込用作動部材５７２の移動方向を軸として回動操作可能に取り付けられている。このため、先端側孔５９７および基端側支持孔５９８によって遊技釘１００の周囲を支持させて安定した状態の遊技釘１００に対して差込用作動部材５７２の押圧力を付与することができ、遊技釘１００を遊技板５０に確実に差し込み固定することができる。また、その固定後には、貫通溝を利用して遊技釘１００の軸方向に交差する方向側に差込用支持部材５７１を移動するだけで遊技釘交換具５００を遊技板５０から簡易に取り外すことができる。よって、遊技釘交換具５００の取り外し時における遊技板５０の傷付きを防止することができる。
【０１０２】
作動部材５１２としての押出用作動部材５６２および差込用作動部材５７２は、その移動方向に沿った先端側が先端側支持部材５１６としての押出用支持部材５６１または差込用支持部材５７１によって支持され、その支持部分から操作用凹み部５３２を隔てて離間した位置にて作動部材５１２の基端側が基端側支持部材５１７によって支持されている。このため、押し出し操作と差し込み操作とのそれぞれに対応した別々の支持部材を小型に形成して製造コストを低減しつつ、作動部材５１２が支持される進行方向に沿った区間を長く設定することで作動部材５１２を進行方向に沿って移動し易く構成して、遊技釘１００の交換を効率良く行うことができる。
【０１０３】
押出用支持部材５６１および差込用支持部材５７１の摘み部５８６，５９６の外形は、ベース部材５１１の先端側突出部５４４の貫通孔より大径に形成されている。このため、摘み部５８６，５９６が先端側突出部５４４に当接する位置までが押出用支持部材５６１および差込用支持部材５７１における作動部材５１２の進行方向に沿った移動可能範囲とされ、その先側への押出用支持部材５６１および差込用支持部材５７１の移動不能となる。よって、作業者が不用意に押出用支持部材５６１または差込用支持部材５７１を操作して遊技板５０側に押出用支持部材５６１および差込用支持部材５７１に突出させてしまうことがなく、遊技板５０の傷付きを防止することができる。
【０１０４】
また、作動部材５１２を進行させるために回動操作される回動操作部材５１８および基端側支持部材５１７が一体化された部材とは離間した位置にて、押出用支持部材５６１および差込用支持部材５７１によって作動部材５１２が支持されている。そして、押出用支持部材５６１および差込用支持部材５７１と、基端側支持部材５１７および回動操作部材５１８が一体化された部材とは、共に、受け部材５１３から離間した側から受け部材５１３に近づく方向側にねじ込み操作をすることで、ベース部材５１１に取り付けられている。このため、回動操作部材５１８に対する回動操作によって作動部材５１２を進行させた際に、作動部材５１２との摩擦抵抗によって押出用支持部材５６１および差込用支持部材５７１が回動し、それら支持部材５６１，５７１が作動部材５１２の軸方向に沿って移動しまう可能性も考えられる。しかしながら、上記したように、押出用支持部材５６１および差込用支持部材５７１は、摘み部５８６，５９６によって一定以上の移動が阻止されるため、円滑に遊技釘１００の交換作業を行うことができる。
【０１０５】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。以下の説明においては、上記実施形態と同一の構成については同一の符号を付して説明を省略し、上記実施形態と異なる部分を説明する。
【０１０６】
上記実施形態における遊技釘交換具５００の受け部材５１３は、円環状に形成され、遊技板に当接する受け部が平面状の傾斜面で形成されていたが、必ずしも上記形状に受け部を形成する必要はなく、受け側突出部５４３に対して高さ位置が異なる部位を形成する受け部を有する他の形状の受け部材としても良い。例えば、図１９（ａ）および図１９（ｂ）に示すように、上記実施形態における受け部材５１３に対して受け部が断続的に形成された形状の受け部材７０１としても良い。この場合であっても、高さ位置の低い第１受け部７０１ｂと、高さ位置が高い第２受け部７０１ａとが受け部材５１３の一面側にて断続的に形成される。また、必ずしも受け部材５１３の受け部は、平面の一部にて遊技板に当接する形状とする必要はなく、半球状の突出部等の点状に遊技板に当接する突出部が複数設けられ、それら突出部の先端面が一平面上に位置する受け部として、その一平面が作動部材の進行方向に対して傾斜した平面となるようにしても上記受け部材５１３と同様の効果を奏する。
【０１０７】
受け部材５１３，７０１において遊技板に当接する受け部は、作動部材５１２の移動方向に平行な中心軸に対して略５度傾斜させた状態で高さ位置の低い第１受け部と、高さ位置が高い第２受け部とが遊技板に当接する場合を説明したが、略３度や略８度等の他の角度に傾斜さえた状態で遊技板に当接するように作動部材５１２の中心軸に対して別の角度で傾斜した設定としても良い。また、受け部材５１３，７０１は、作動部材５１２の中心軸の延長線の両側部分に、作動部材５１２の移動方向に沿った高さ位置の異なる複数の受け部が設けられ、それら受け部の間部分に作動部材５１２の中心軸の延長線が位置する設定とすることが好ましく、これにより、受け部材によって遊技板の一面を安定して支持することができて好ましい。
【０１０８】
また、図１９に示す受け部材７０１を遊技板の後面側に当接させた場合には、受け部材７０１の貫通穴の下側部分は遊技板に密着し、且つ、折損した遊技釘１００を確実に受け部材取付軸５１４の穴部６１３（図１５（ｂ）参照）に案内可能なように、受け部材７０１の貫通穴の軸方向視において中央部分が凹んだ部位を有する受け部材７０１としておくことが好ましい。また、受け部材５１３に設けられる固定ねじ用の貫通穴を、図１９（ｂ）に示すように、受け部材の受け部の高さが最も低く形成された位置側に設けたり、または高さが最も高く形成された位置に設ける等して、受け部材５１３の向きを調整する際の目印として、固定ねじを利用し易くしても良い。この場合には、スペーサ５２２における縦溝部５２２ａも、受け部材５１３の傾斜面とスペーサ５２２の傾斜面とが平行とされた場合に受け部材５１３およびスペーサ５２２の回動中心軸に対して同一方向側となる位置に設けられることが好ましい。
【０１０９】
受け部材５１３の向きの調整は、必ずしもベース部材５１１に取り付けられた状態のままでの回動操作により行うものとする必要はなく、受け部材５１３を作動部材５１２側に取り外し、受け部材５１３が取り外された状態で受け部材５１３の向きを調整してから、受け部材５１３をベース部材５１１に取り付けても良い。受け部材５１３の構成は上記実施形態における取り付け固定構造に限らず、他の構造を用いても良い。
【０１１０】
上記実施形態における遊技釘交換具５００においては、縦溝部５２２ａおよび固定ねじ５２３を目印にして受け部材５１３およびスペーサ５２２の向きを遊技板の前面および後面に平行となる向きに設定し易く構成したが、この目印とする部位の形状は、上記形態に限らず、点形状、線形状、記号等のいずれの形状であっても良いし、突出または凹んだ部材の形状で形成する場合に限らず、塗装、印刷等により描いた目印であっても良い。また、目印とする部位の数は、必ずしも１カ所とする必要はなく、受け部材５１３およびスペーサ５２２の回動中心軸を中心として一定角度ずつ離間した２カ所以上の複数箇所としても良い。この場合には、受け部材５１３の傾斜面とスペーサ５２２の傾斜面とが平行とされた場合に受け部材５１３およびスペーサ５２２の回動中心軸に対して同一方向側となる位置側に設けられる目印が対応していることが分かりやすいように、丸印や四角印等の記号を一致させたり、各方向側毎に異なる数字であって同一方向側となる位置側の数字が同一となるようにすることが好ましい。
【０１１１】
上記実施形態における遊技釘交換具５００は、固定ねじにより複数部品が一体化されたり、接着または接合により一体化される等していたが、部品構成としては必ずしも上記した構成とする必要はない。基端側支持部材５１７と回動操作部材５１８とを一体部品として形成しても良いし、回動操作部材５１８と押出用作動部材５６２又は差込用作動部材５７２とを一体部品として形成しても良い。この場合、押出用作動部材５６２又は差込用作動部材５７２と回動操作部材５１８とが別々に形成され、ハンドル部５５２を通じた回動操作に対して、押出用作動部材５６２又は差込用作動部材５７２が連動せず、回動することなく直進可能とされると、遊技釘に回動方向への力が伝達されないために好ましい。一方、回動操作部材５１８と差込用作動部材５７２を一体部品とする場合には、差込用作動部材５７２が進行する場合に必ず回動することとなるが、その回動方向に沿って差し込み操作の対象となる新しい遊技釘が回動した場合に遊技釘が遊技板内に進行するように遊技釘の保持部のねじ形状を設定する、すなわち、差込用作動部材５７２を進行させる雄ねじ部分と、遊技釘の保持部のねじ形状を共に右ねじ、又は、左ねじで一致させると、遊技釘が遊技板に差し込まれやすくすると共に、遊技釘の頭部の傷付きを防止することができ、見栄えを向上することができて好ましい。
【０１１２】
また、遊技釘が遊技板内に進行するように遊技釘の保持部のねじ形状を設定する場合に、遊技釘と共に差込用作動部材５７２が回動し易くして、遊技釘の頭部の傷付きを防止するために、遊技釘の頭部の形状（上記実施形態における球面形状）と差込用作動部材５７２における遊技釘と接触する先端面の形状とを略同一に形成しても良く、接触部分の圧力の分散によって傷付きや削れを抑制することができる。また、遊技釘の回動に伴って差込用作動部材５７２が回動し易いように、ボールベアリング等の軸受けによって差込用作動部材５７２の周面を支持して回動し易くしたり、固定操作部材５１９と差込用作動部材５７２との当接部を差込用作動部材５７２の中心軸部のみとなるように、固定操作部材５１９と差込用作動部材５７２との対向面の少なくとも一方側を例えば円錐状等で突出する形状とする等しても良く、この場合にも差込用作動部材５７２と遊技釘の頭部との擦れを抑制することができて好ましい。
【０１１３】
また、スペーサ５２２は、必ずしも、押出用支持部材５６１に対して分離した別部品として設ける必要はなく、スペーサにおける押出用支持部材に当接する面側に貫通孔を中心として円柱状に突出する突部を形成し、押出用支持部材側には、その突部を圧入可能な大きさの穴部を形成して、押出用支持部材に対して貫通孔を中心に回動可能にスペーサを圧入固定する構成としても良い。スペーサ５２２は、押出用支持部材５６１に対して一体化可能に構成しても良く、例えば、スペーサ５２２と押出用支持部材５６１の接触部分に接着剤を塗布してスペーサ５２２が押出用支持部材５６１に対して接合されるようにしても良い。この場合には、スペーサ５２２が押出用支持部材５６１に対して少量でも移動可能に一体化されるよう、粘性を有する接着層が形成される接着剤で接合することが好ましく、受け部材５１３の傾斜面とスペーサ５２２の傾斜面とがずれている場合に、スペーサ５２２が押出用支持部材５６１に対して移動または回動してそれらが平行に近づきやすく、遊技釘の交換作業を実施し易くすることができる。
【０１１４】
上記実施形態におけるスペーサ５２２に対して、作動部材の移動方向に沿った長さの異なるスペーサを用意し、いずれかのスペーサを選択的に用いて遊技釘の押し出し操作をしても良い。例えば、作動部材の移動方向に沿った中心軸部分の長さとして３ｍｍ、８ｍｍ、１２ｍｍといった複数種類の長さを有するスペーサを用意しても良い。スペーサ以外の遊技釘交換具５００の部材を共通化しつつ、異なる厚さの遊技板に適したスペーサを利用することができ、更には押出用支持部材５６１の位置調整だけでは対応できないような厚さの遊技板に対しても遊技釘交換具５００を使用して折損した遊技釘の押し出し操作を安定して実施することができる。
【０１１５】
上記実施形態における遊技釘交換具５００の差込用支持部材５７１には、差し込み後の遊技釘を抜き出すために使用される貫通溝５９９が、差込用作動部材５７２の移動方向に交差する一方側のみに設けられたが、必ずしも一方側のみに設ける必要はなく、その移動方向に交差する両方向側、或いは、移動方向を中心軸として一定の角度離間した３方向側に形成しても良い。また、差込用支持部材５７１の先端側孔５９７に対して貫通溝５９９の長溝部６０２の幅が略同一となる設定としても良い。また、貫通溝５９９の開口部６０１は、必ずしも側面視において円形状に形成する必要はなく、遊技釘の頭部が通過可能であれば半円形状または略矩形状等の他の形状としても良い。
【０１１６】
上記実施形態における遊技釘交換具５００の回動操作部材５１８のハンドル部５５２や固定操作部５５３等の回動操作が行われる部位は、回動操作を容易とするために外周面に凹み部を設けたり、表面に転造加工で筋状または網目状の滑り止めを施しても良く、又は、外周方向の一方または両側に突出する棒状の部位を設けて回動容易に形成しても良い。
【０１１７】
上記実施形態における遊技釘交換具５００の受け部固定部材５１５に対して、図２０に示すように、受け部固定部材７１１の中心部に貫通孔を形成し、作動部材５１２の中心軸に沿った細軸部７１２ａが受け部材５１３より突出するように長く形成された位置決め操作部材７１２を設けても良い。受け部材５１３の位置合わせをする際には、位置決め操作部材７１２の細軸部７１２ａを釘穴５２に挿入することで、釘穴５２に対して受け部材５１３の中心位置を正確に配置することができる。この位置決め操作部材７１２は、受け部材５１３の位置合わせ後で遊技釘１００の押し出しおよび差し込み操作前に釘穴５２から抜き出し可能とする必要があり、例えば、受け部材５１３が設けられる側において貫通した貫通穴と該貫通穴に対して作動部材５１２の位置する側とは反対側より挿入することで受け部材５１３によって遊技板５０の一面に当接する当接部分より突出して釘穴に入り込み可能な軸部を有する位置決め操作部材としても良い。
【０１１８】
上記実施形態においては、回動操作部材５１８に対して作業者がハンドル部５５２を手操作により回動操作して作動部材５１２を進退させたが、必ずしも手操作により回動操作部材５１８を回動させる必要はなく、モータ等の電動で動作する駆動手段を回動操作部材５１８に対してギヤ等の駆動伝達機構により接続し、電動で作動部材５１２を進退させる構成としても良い。すなわち、回動操作部材５１８は、作業者による直接的な手操作により操作される部材に限るものでなく、駆動手段に対する操作によって間接的に動作する構成としても良い。
【０１１９】
上記実施形態における遊技釘交換具５００は、上記実施形態において説明した各遊技板５０，２００，３００に設けられる釘穴５２，２０２，３０２に保持された遊技釘１００，１５０の交換作業に使用可能であり、また、上記した形状の遊技板および遊技釘に限らず、他の形態の遊技板および遊技釘に対して使用することもでき、遊技板に対して風車等を固定するための釘に対しても使用することができる。また、必ずしも合成樹脂製の遊技板に設けられる遊技釘の交換作業に遊技釘交換具５００を使用する必要はなく、木製の遊技板に設けられる遊技釘に対して使用しても良い。この場合には、木製の遊技板における釘穴も遊技釘が保持される部位の内径で前面側から後面側にわたって貫通形成する必要がある。また、必ずしも１の遊技釘交換具５００を用いて、折損した遊技釘の押し出し操作と差し込み操作とを行う必要はなく、２つの遊技釘交換具５００を準備して、各操作を別々の遊技釘交換具５００にて実施しても良いし、遊技釘の押し出し操作のみに遊技釘交換具５００を使用し、遊技釘の差し込み操作は他の工具を使用する等、いずれかの操作のみを遊技釘交換具５００により行うこととしても良い。
【０１２０】
上記実施形態における遊技釘交換具５００に対して、例えば図２１に示すように、形状の異なるベース部材８０１を有する遊技釘交換具８００としても良い。図２１は他の実施形態に係る遊技釘交換具８００を示した側面図である。
【０１２１】
遊技釘交換具８００は、図９等に示す上記実施形態における遊技釘交換具５００に対してベース部材の形状を異ならせたものである。詳細には、上記実施形態において作動側突出部５４２が形成された部位に対して作動部材５１２から離間した側部分を削除した形状であり、本体部５４１において長穴５３４を形成する外形部分を削除した形状とされている。
【０１２２】
遊技釘交換具８００のベース部材８０１は、図２１に示すように、操作用凹み部５３２の空間を隔てて先端側突出部５４４と基端側突出部５４５とが作動部材５１２に対して一方側（図２１の右側）において連続した形状とされている。すなわち、作動部材５１２の一方側において、先端側突出部５４４と基端側突出部５４５とがベース部材８０１の本体部８０２により接続され、側面視コ字状部を有する形状とされている。ベース部材８０１の本体部８０２における作動部材５１２の移動方向先端側に相当する下側部分は、移動方向基端側に相当する上側部分よりも作動部材５１２の中心軸に対して離間した方向側に突出し、その突出先端側にて上下に連続した形状とされている。このため、遊技釘交換具８００のベース部材８０１は、操作用凹み部５３２が形成される上側部分より深さが深い凹み部分を遊技板用凹み部５３３として側面視コ字状部を有する形状とされている。上記実施形態におけるベース部材５１１と比べた場合、作動側突出部を構成する２つの突出部５４４，５４５と、受け側突出部５４３と、それら突出部５４３〜５４５を接続する部位のみでベース部材８０１が構成されることでベース部材５１１の重量を低減することができ、また、必要最小限の機能部位に外形を限定することにより遊技釘交換具８００を小型に形成し、遊技板に取りつけられた周辺部品等に遊技釘交換具８００を衝突させる可能性を最低限に抑えることができる。操作性の面においては、遊技板用凹み部５３３の底側部分に相当する上下に連続した本体部８０２を把持することでコ字形の内面に指を掛けて安定して移動等を行うことができ、必要最小限の形状による軽量化により操作性の高いものとすることができる。
【０１２３】
遊技板用凹み部５３３の幅Ｗ及び深さＤは、遊技板の厚みと、遊技釘の前面側への突出量と、受け部材５１３の厚みとを加えた量よりも幅広く形成する必要があり、例えば、遊技板の厚みが略８ｍｍ、遊技釘の前面側への突出量が略１８．５ｍｍ、受け部材５１３の厚みが略８ｍｍとした場合、最低でも略３５ｍｍは必要であり、５ｍｍ以上の余裕を持たせて略４０ｍｍ以上に設定することが好ましい。更に厚みのある遊技板を使用する場合及び遊技釘の前面側への突出量が大きく設定される場合には、その増量分に応じて遊技板用凹み部５３３の幅Ｗは広く設定する。
【０１２４】
遊技板用凹み部５３３の深さＤは、幅Ｗが減少することなく深さ方向側（図２１の右側）に連続する範囲を長く確保することが遊技板に取り付けられた遊技釘の交換可能範囲を拡げることができて好ましい。例えば、遊技板用凹み部５３３の深さＤは、幅寸法が減少しない深さ方向側への長さとして、作動部材５１２の中心軸に対して略６０ｍｍから略１５０ｍｍの範囲内に設定することが好ましく、略７０ｍｍから略１００ｍｍの範囲内に設定することが好適である。なお、遊技板用凹み部５３３の深さＤが長いほど、ベース部材５０１，８０１の外形が作動部材５１２の中心軸から離間し、センター装飾部材の開口５０ａ（図１８参照）への挿入操作が困難となり、又は不能となるために、遊技板用凹み部５３３の深さＤは長過ぎないように、上記した一定以下のサイズに設定することが好ましい。
【０１２５】
上記実施形態における遊技釘の差し込み位置を調整可能な位置調整手段を備えても良い。例えば、作動部材５１２の移動方向先端側（図２１の下側）への移動を制限する移動制限部材として調整スペーサ８１１を設けても良い。調整スペーサ８１１は、図２１に示すように、回動操作部材５１８と、ベース部材８０１における回動操作部材５１８が当接する端面との間部分に配置し、基端側支持部材５１７の外形より僅かに大きな内径を有する円環状の金属製部材で構成する。調整スペーサ８１１における作動部材５１２の中心軸に沿った厚みが作動部材５１２の差し込み方向先端側（図２１の下側）への移動を制限する。この調整スペーサ８１１により差し込み操作においては遊技釘の前面側への突出量をより大きくすることができ、また、遊技板の厚みの変化に対応した調整スペーサ８１１を設けることで厚みの異なる遊技板に対応した遊技釘交換具とすることができる。なお、回動操作部材５１８に対しての固定操作部材５１９のねじ込み量を調整して位置調整手段としても良く、固定操作部材５１９を回動操作部材５１８の一端側に完全にはねじ込まずに、余裕を設けることでも作動部材５１２の先端側への移動を制限することができる。基端側支持部材５１７と回動操作部材５１８との相対位置を作動部材５１２の中心軸に沿って変化させても位置調整手段として遊技釘の差し込み位置を変化させることができ、遊技釘の差し込み位置は、固定ねじ５２１を緩めた後に基端側支持部材５１７に対する回動操作部材５１８の軸方向に沿った相対位置を調整して設定することもできる。
【０１２６】
上記実施形態における押出用支持部材５６１及び差込用支持部材５７１の少なくとも一方に代えて、例えば、図２２（ａ）及び図２２（ｂ）に示すように、先端部の形状が異なる押出用支持部材８２１及び差込用支持部材８３１の少なくとも一方を遊技釘交換具の構成部品としても良い。図２２（ａ）は他の実施形態における押出用支持部材８２１の側面図であり、図２２（ｂ）は他の実施形態における差込用支持部材８３１の側面図であり、図２２（ｃ）及び図２２（ｄ）は各支持部材８２１，８３１の使用状態を示す説明図であり、図２２（ｅ）は他の実施形態における差込用支持部材８３９の側面図である。
【０１２７】
押出用支持部材８２１及び差込用支持部材８３１は、上記実施形態における押出用支持部材５６１及び差込用支持部材５７１より先端部８２２，８３２が長く形成され、図２２（ｄ）に示すように、受け部材５１３との間に遊技板５０を挟み込み可能な長さに設定されている。すなわち、押出用支持部材８２１は、図２２（ａ）に示すように、雄ねじ部５８４及び摘み部５８６が上記実施形態における形状と同一とされ、先端部８２２の長さＬ１が上記実施形態における先端部５８５にスペーサ５２２の長さを加えた長さにほぼ等しく設定されている。
【０１２８】
押出用支持部材８２１の先端部８２２の形状は、受け部材５１３が位置する先端側で遊技板に当接する部位が側面視円弧状であって中心部分が受け部材５１３側に最も膨出した略球状（略半球状）に形成されている。押出用支持部材８２１の先端部８２２は、図２２（ｄ）に示すように、中央部分に貫通穴を有して円環状に遊技板５０の裏面に当接する受け部材５１３の中心に近い位置において遊技板５０に当接する設定とされている。このため、押出用支持部材８２１の先端を遊技板５０側に進行させた場合に、受け部材５１３の中心付近に力が作用し、受け部材５１３と押出用支持部材８２１との間に遊技板５０を挟み込む操作を簡易且つ正確に実行し易くすることができる。
【０１２９】
押出用支持部材８２１における摘み部５８６から先端部８２２の先端までの長さＬ１は、交換対象の遊技釘が固定された遊技板５０を受け部材５１３との間に挟み込んだ状態において押出用支持部材８２１と受け部材５１３とが共に遊技板５０に当接可能な長さに設定される。なお、交換対象の遊技釘が固定される遊技板の厚みに応じて摘み部５８６から先端部８２２の先端までの長さＬ１は設定すれば良く、複数種類の異なる厚みを有する遊技板に対応する場合には、最も薄く形成される遊技板を基準として摘み部５８６から先端部８２２の先端までの長さＬ１を決定すれば良い。
【０１３０】
差込用支持部材８３１についても、図２２（ｂ）に示すように、雄ねじ部５９４及び摘み部５９６が上記実施形態における形状と同一とされ、先端部８３２の長さが上記実施形態における先端部５９５より長く設定されている。そして、差込用支持部材８３１における摘み部５９６から先端部５９５の先端までの長さＬ２は、交換対象の遊技釘が固定された遊技板５０を前後で挟み込んだ状態において差込用支持部材８３１と受け部材５１３とが共に遊技板５０に当接可能な長さ可能な長さに設定されている。
【０１３１】
差込用支持部材８３１の先端部８３２の形状についても、受け部材５１３が位置する先端側で遊技板に当接する部位が側面視円弧状であって中心部分が受け部材５１３側に最も膨出した略球状（略半球状）に形成されている。差込用支持部材８３１の先端部８３２は、図２２（ｄ）に示すように、受け部材１５３が円環状に遊技板５０の裏面に当接する中心部分に近い位置において差込用支持部材８３１の先端が当接する設定とされ、受け部材５１３と差込用支持部材８３１との間に遊技板５０を挟み込む操作を簡易且つ正確に実行し易くすることができる。
【０１３２】
ここで、受け部材５１３と押出用支持部材８２１及び差込用支持部材８３１との間に遊技板５０を挟み込む操作について、図２２（ｃ）及び図２２（ｄ）を参照して説明する。図２２（ｃ）及び図２２（ｄ）は、縦方向に切断した遊技板５０を側面視した状態を示しており、受け部材５１３の向き調整を終えた後に、押出用支持部材８２１（又は差込用支持部材８３１）を回動操作して受け部材５１３と押出用支持部材８２１（又は差込用支持部材８３１）との間に遊技板５０を挟み込む操作の過程と操作後の状態を示している。
【０１３３】
例えば、遊技釘交換具５００に差込用支持部材８３１を取り付け、差込用支持部材８３１と受け部材５１３との間に遊技板５０を挟み込む操作について説明する。まずは、差込用支持部材８３１の先端部８３２を、図２２（ｃ）に示すように、遊技板５０に形成された遊技釘を差し込む対象となる釘穴に一致させつつ遊技板５０に当接させる。この場合に、差込用支持部材８３１の先端部８３２の中心部分が受け部材５１３側に最も突出しているので、その先端側に先細りになった突端部分を釘穴に位置合わせすれば良く、釘穴を確認し易くして差込用支持部材８３１の先端部８３２の中心を容易に位置合わせすることができる。また、差込用支持部材８３１の位置合わせをした後に遊技釘交換具５００の傾斜角度が変化しても、先細りに形成された先端部８３２の中心軸と釘穴との位置ずれは少なく抑えることができる。よって、遊技釘交換具５００の傾斜角度の調整も簡易に行うことができる。
【０１３４】
差込用支持部材８３１の先端部８３２の位置合わせ後には、差込用支持部材８３１を受け部材５１３側に近づける方向側（図２２（ｃ）の矢印方向側）に回動させる。この回動操作をし続けると、受け部材５１３の一部が遊技板５０の裏面に当接し、更に回動操作をし続けると、差込用支持部材８３１の当接部分の曲面形状に沿って遊技釘交換具５００全体が次第に傾斜しつつ、受け部材５１３の遊技板５０側を向く面と遊技板５０の裏面との隙間が減少する。更に、差込用支持部材８３１を回動させることで、図２２（ｄ）に示すように、受け部材５１３の遊技板５０側を向く面と遊技板５０の裏面との隙間が無くなり、差込用支持部材８３１の先端部８３２が連続する方向に一致する遊技釘の差し込み方向と、釘穴の貫通方向とが一致した適切な傾斜角度に遊技釘交換具５００が配置される。
【０１３５】
この遊技釘交換具５００が傾斜する途中過程においては、差込用支持部材８３１の先端部８３２において遊技板５０に当接する部位と、受け部材５１３において遊技板５０に当接する部位とを離れた位置とすることが好ましく、差込用支持部材８３１の先端部８３２の中心部分が受け部材５１３側に最も突出している形状とすることが好ましい。この形状とした場合には、差込用支持部材８３１の先端部８３２の中心付近を中心として遊技釘交換具５００を傾斜した状態に遷移させ易く、遊技釘交換具５００を適切な傾斜角度側に容易に傾斜させることができる。また、円環状の受け部材５１３の外周の一部が遊技板５０の裏面側に当接するのに対して、遊技板５０の前面側では受け部材５１３の中心付近に力が作用し、差込用支持部材８３１の回動操作により、遊技釘交換具５００全体が適切な傾斜角度に傾く方向側に回動力が作用し易いものとなる。このため、受け部材５１３の遊技板５０側を向く面と遊技板５０の裏面との隙間を無くした状態まで、差込用支持部材８３１の回動操作を少ない力で簡易に行うことができ、操作の対象となる釘穴に対して差し込み操作が可能な状態に遊技釘交換具５００を正確に配置することができる。また、差込用支持部材８３１の回動操作を行う際には、差込用支持部材８３１の回動中心から近い位置で遊技板５０と差込用支持部材８３１が接触しているほど、差込用支持部材８３１と遊技板５０との当接による摩擦力による回動抵抗トルクが少なく、差込用支持部材８３１の回動操作がし易いものとなる。更に、差込用支持部材８３１と遊技板５０との摩擦により傷が生じたとしても、その傷は、遊技釘の根元付近に形成されるものとなるので、遊技板５０の遊技釘間に対して施された装飾部又は遊技板５０を介して視認可能な遊技板５０裏面側に設けられる装飾部の視認性が低下することを抑制することができる。押出用支持部材８２１の先端部８２２の形状についても、受け部材５１３側に最も突出している形状とされているので、差込用支持部材８３１における遊技板５０の挟み込み操作と同様の効果を奏するものとすることができる。
【０１３６】
押出用支持部材８２１及び差込用支持部材８３１の先端部８２２，８３２の先端形状は、略球形状に限らず中心部分が受け部材５１３側に膨出した曲面形状とした他の形状としても良い。例えば、先端部８２２，８３２の先端形状としては、複数の曲率半径を組み合わせた曲線形状で形成しても良い。また、押出用支持部材及び差込用支持部材の先端部の先端形状として、先端部８３２の連続する方向に垂直な平面に対して先端部８３２の中心部分が受け部材５１３側に突出し、周辺部分が側面視で直線的に傾斜した傾斜面を有する形状としても良い。この傾斜面としては、略円錐形に対して中心部に貫通穴を形成した略円錐台形としても良いし、略多角錐に対して中心部に貫通穴を形成した略多角錐台形に形成しても良く、略多角錐形とする場合には、正六角錐台又は正八角錐台とする等、少なくとも五以上の角数を有する正多角錐台形とすることが押出用支持部材及び差込用支持部材の回動操作を円滑に実行可能とする上で好ましい。
【０１３７】
例えば、差込用支持部材８３１に対して先端部８３２の先端面形状を異ならせた差込用支持部材８３９として、図２２（ｅ）に示すように、先端部８３２の連続する方向に垂直な平面に対して角度Ａ１で傾斜した傾斜面が先端部８３２の中心軸を中心とした全周にわたって形成された略円錐形の先端面８３９ａを有する形状としても良い。この場合における角度Ａ１は、遊技板５０の厚み方向に対して釘穴が傾斜して取り付けられる角度、すなわち、遊技板５０の前面の向く方向に対して遊技釘が傾いて取り付けられる傾斜角度と一致させるか、或いは、その傾斜角度より大きな角度に設定することが好ましい。差込用支持部材８３９の先端面８３９ａの中心付近を遊技板の前面に当接させることによる上記した効果を奏するものとすることができる。また、先端部８３２の連続する方向に垂直な平面に対して先端面が傾斜した角度Ａ１を、遊技板５０の前面の向く方向に対して遊技釘が傾いて取り付けられる傾斜角度（例えば略５度）と一致させた場合には、適切な傾斜角度に遊技釘交換具５００が配置された場合と、差込用支持部材８３１を回動操作した状況における差込用支持部材８３１の操作感及び遊技釘交換具５００を支持した感触が異なるものとなる。よって、遊技板５０を挟み込む操作において適切な傾斜角度に遊技釘交換具５００を一層容易に配置することができる。
【０１３８】
差込用支持部材８３１の貫通溝８３３は、図２２（ｂ）に示すように、先端部８３２の先端側から遊技釘の頭部の外形より大きく形成された開口部８３４までの長さＬ３が遊技板に固定される遊技釘の前面側への突出量より短く設定されている。例えば、遊技釘の前面側への突出量が略１８ｍｍに設定されている場合には、この突出量より短い長さとして開口部８３４までの長さＬ３を略１６ｍｍ等に設定しても良く、更には遊技釘の前面側の突出量より十分に、例えば３ｍｍ以上短く設定しても良い。遊技釘を遊技板に固定した後には、貫通溝８３３を通じて遊技釘を抜き出させる必要があるため、貫通溝８３３における開口部８３４までの長さＬ３は遊技釘の前側への突出量より小さく設定される。遊技釘の差し込みに際しては、基端側支持孔８３５において貫通溝８３３の形成されていない入口側（図２２（ｂ）の上側）の部位に遊技釘の頭部が支持された状態で遊技釘が遊技板５０内に進行することとなり、遊技釘の頭部が貫通溝８３３側に移動せず、遊技釘を安定して遊技板５０内に進行させることができる。
【０１３９】
押出用支持部材８２１及び差込用支持部材８３１は、金属材料で形成しても良いが、好ましくは、遊技板５０の表面硬さより柔らかい表面硬さに設定された樹脂材料で形成したり、又は少なくとも先端部８２２，８３２の先端側面に遊技板５０の表面硬さより柔らかい表面部分が形成される表面処理等を施すことが好ましい。例えば、遊技板５０がポリカーボネートやアクリル製である場合に、遊技板５０の材質より柔らかい表面硬さのポリプロピレンやエラストマーを含む材料を使用するか、又は、その柔らかい材料により少なくとも先端部８２２，８３２の先端を形成することが好ましい。押出用支持部材８２１及び差込用支持部材８３１の先端部８２２，８３２が遊技板５０の表面に当接して擦れた場合における傷付きを抑制することができる。
【０１４０】
上記実施形態における差込用支持部材５７１に代えて、図２３に示すように、基端側支持孔８４２が貫通溝５９９の形成される範囲であって円形の開口部６０１より長溝部６０２側に連続した形状の差込用支持部材８４１としても良い。図２３（ａ）は他の実施形態における差込用支持部材８４１の側面図であり、図２３（ｂ）は差込用支持部材８４１の一部断面図であり、図２３（ｃ）は差込用支持部材８４１の使用状態を示す説明図である。なお、図２３（ｂ）及び図２３（ｃ）には、遊技釘を併せて示し、また、図２３（ｃ）には、差込用作動部材５７２を模式的に示している。
【０１４１】
基端側支持孔８４２は、遊技釘の頭部より僅かに大きな内径に形成され、貫通溝５９９における円形の開口部６０１より遊技釘の差し込み方向先端側（図２３（ａ）の下側）にまで連続している。貫通溝５９９における開口部６０１に連続した長溝部６０２は、遊技釘の頭部より細く、軸部より太く形成された部位であり、例えば、長溝部６０２の幅は遊技釘の軸部が略１．８５ｍｍである場合に略３ｍｍに設定される。開口部６０１は、遊技釘の頭部より大きく形成される部位であり、開口部６０１の大きさは、例えば、遊技釘の頭部が略４．３ｍｍである場合に略５ｍｍの内径に設定されている。
【０１４２】
基端側支持孔８４２の入口とは反対側（図２３（ａ）の下側）には、基端側支持孔８４２より小径で遊技釘の軸部が挿通可能な先端側孔８４３が連続している。貫通溝５９９を通じて遊技釘の頭部を基端側支持孔８４２内に配置し、遊技釘の軸部を先端側孔８４３内に配置することで遊技釘を差込用支持部材８４１により支持させて、遊技釘の差し込み操作を行うことができる。
【０１４３】
基端側支持孔８４２において開口部６０１より遊技釘の差し込み方向先端側に連続する区間の長さＸ１は、遊技板の前面に対して遊技釘が差し込まれる量を差込量Ｓとした場合に、差込量Ｓより長く設定される。このため、図２３（ｂ）に示すように、開口部６０１より長溝部６０２側に遊技釘の頭部を位置させた状態で遊技釘の先端を遊技板に当接させて遊技釘を遊技板に差し込んでも、遊技釘の頭部は、基端側支持孔８４２の形成される範囲内を移動して、遊技板に十分に差し込むことができる。基端側支持孔８４２において開口部６０１より遊技釘の差し込み方向先端側に連続する区間の長さＸ１は、例えば、差込量Ｓが略５ｍｍである場合に差込量Ｓより大きな略１０ｍｍに設定される。この設定により、図２３（ｃ）に示すように、差込用作動部材５７２の先端部分で貫通溝５９９の開口部６０１が塞がれた状態にして差込用作動部材５７２を進行させて遊技釘を差し込む操作をすることができ、貫通溝５９９を通じた遊技釘の落下を防止することができる。
【０１４４】
ここで、基端側支持孔８４２において開口部６０１より遊技釘の差し込み方向先端側に連続する区間の長さＸ１として、遊技板の前面に対して遊技釘が差し込まれる量を差込量Ｓより少ない長さに設定しても良い。この場合でも、図２３（ｃ）に示すように、差込用作動部材５７２の先端部分で貫通溝５９９の開口部６０１が塞がれた状態を形成することができ、差込用支持部材５７１の内側に遊技釘を配置した後に遊技釘が落下することを抑制することができる。
【０１４５】
貫通溝５９９の開口部６０１に対して差込用支持部材８４１の先端部における遊技釘の差し込み方向先端側端面までの長さＸ２は、遊技釘が遊技板に固定された後に貫通溝５９９を通じて遊技釘を取り出し可能なように、遊技板に固定される遊技釘の前面側への突出量より短く設定される。
【０１４６】
上記第１実施形態においては、遊技板５０に設けられる釘穴５２は、断面円形としたが、必ずしも断面円形とする必要はなく、上記した引き抜き力となる断面形状として非円形の多角形あるいは星形など、他の形状で形成しても良い。また、釘穴５２は、必ずしも貫通穴で構成する必要はなく、遊技板５０の前面側のみが開放され、後面（裏面）側が塞がれた非貫通の穴で構成しても良い。ただし、遊技釘１００が折損した場合には、遊技釘１００を裏面側に押し出して抜き取り可能なように、上記実施形態のように、保持部１１１を保持する内径の穴が裏面側まで貫通していることが好ましい。これにより、遊技釘１００が折損した場合に、遊技釘１００の残り部分を表面側に抜き出す場合に比べて、釘穴５２の内面が削られにくく、新たな遊技釘に交換した場合における遊技釘１００の引き抜きに対する保持力を高いものとすることができる。
【０１４７】
ここで、上記第１実施形態におけるセンター装飾部材２２は、遊技板５０に開口を設けて、遊技板５０の前面５１側よりねじ止めにより固定する等、遊技板５０の開口に対して前面側より取り外し自在に固定されることが好ましい。上記したように折損した遊技釘１００を遊技板５０の裏面側に押し出して抜き取りする場合に、その遊技板５０の開口を通じて遊技板５０の前後に一部が配置される例えば側面視コの字状の専用の工具を配置することができる。詳細には、その工具における前面側に位置する部位には、裏面側に位置する部位側に突出するように移動可能な軸状の部材を設け、その部材で折損した遊技釘１００を遊技板５０の前面側より押し出すようにする。始動入賞口２５の上側やその付近に設けられる遊技釘１００、またはセンター装飾部材２２に遊技球の通路を設けて始動入賞口２５から離れた上流側部分から始動入賞口２５の直上部分へ案内する場合などにおける当該通路の入口部分等、センター装飾部材２２の周辺には、遊技球の当接頻度が高く、また入賞等の遊技の結果に対する影響の高い遊技釘１００が多く配置され、これらの遊技釘は設計値通りに遊技者に遊技球が賞球として払い出されるように規定位置で規定の角度に配置する必要がある。この種の遊技釘１００は折損する可能性が高く、かかる遊技釘１００に対して透明な遊技板であっても遊技板５０の開口を設けることで小型の専用の工具でも遊技板５０の前面５１側から裏面側に遊技釘１００を押し出して、新たな遊技釘に交換した場合における遊技釘１００の引き抜きに対する保持力を高く維持することができる。
【０１４８】
上記第３実施形態において、センター装飾部材２２を、遊技板３００の開口を通じて前面３０１側より固定した遊技板３００に上記第３実施形態における遊技釘１５０を取り付ける構成としても良く、この場合には、硬質部としてのくびれ部１５２は断面積が当接部１１３より小さく、そのくびれ部１５２の中央部または曲げ応力が高い保持部１１１に近い部位にて遊技釘１５０が折損し易く、この折損した遊技釘１５０の先端側の一部が遊技板３００の厚み範囲内、すなわち、釘穴３０２内に残存し易い。この残存した遊技釘１５０を遊技板３００の裏面側に押し出して新たな遊技釘１５０を挿入する場合、折損した遊技釘１５０を押し出す際に釘穴３０２の内面における遊技板３００の前面３０１側は残存した遊技釘１５０によって擦られることが全くないため、その部分が削られることがなく、新たな遊技釘に交換した場合における遊技釘１００の引き抜きに対する保持力を高いものとし易くすることができる。
【０１４９】
上記各実施形態において、保持部１１１は、外周面側に突出する２条のねじ形状により構成したが、必ずしも２条のねじ形状とする必要はなく、１条または３条以上としても良いし、上記引き抜き力となるような形状であれば、断面形状が軸方向に沿ってねじれていない、網形状または縞状のローレット形状或いは軸方向に平行な突条が周方向に多数設けられることで周面に凹凸が設けられた断面形状を有する保持部としても良い。
【０１５０】
上記各実施形態においては、硬質部としての保持部１１１およびくびれ部１５２は、遊技板５０，２００，３００の前面５１，２０１，３０１より前方側へ略０．３ｍｍ突出するようにして設けられていたが、必ずしも該突出量とする必要はないが、略０．１ｍｍ以上で０．５ｍｍの範囲内とすることが好ましく、略０．２ｍｍから略０．４ｍｍの範囲に内とすることが好適である。また、遊技釘１００，１５０が遊技板５０，２００，３００に対して上方に傾けて取り付けられている場合には、硬質部の突出量は、上側部分で最小となるため、その最小部分において上記した突出量とすることが好ましい。
【０１５１】
上記各実施形態においては、硬質部としての保持部１１１およびくびれ部１５２は、外形形状を形成する際の加工による塑性変形によって当接部より硬く形成したが、必ずしも形状を加工する際に硬く形成する必要はなく、他の方法により硬質部を形成しても良い。例えば、小径の鉄球を表面に衝突させて表面を硬化させるショットピーニング等の加工により表面を硬くしても良いし、または、遊技釘の軸部における遊技板の前面に対して前後に位置する範囲に母材としての黄銅より硬質な金属の膜または層を蒸着等により形成することで表面を硬くしても良い。この硬質部としての保持部１１１又はくびれ部１５２と、硬質部でない部位との境界は、境界線として一見して確認可能なように、稜線がくっきりと出るように形成したり、表面の色を異ならせたりして、境界線が確認可能にすることが好ましく、これにより、遊技板５０，２００，３００の前面側における釘穴５２，２０２，３０２の縁部分と、境界線との位置関係を容易に確認することができ、また、その縁部分と上記境界線とが重なることで見栄えは良質なものとすることができる。なお、上記各実施形態における締め代又は引き抜き力とは異なる締め代又は引き抜き力となるように釘穴５２，２０２，３０２の内径と保持部１１１の外径との組合せとしつつ、遊技板の前面側に硬質部の一部をわずかに突出させる構成としても良く、この場合でも樹脂製の遊技板における遊技釘の調整作業を好適に行うことができる。また、樹脂製の遊技板の前面に着色されたシート状の装飾板（セル板）を配置したり、不透明な樹脂製の遊技板としたりして、遊技板の前面側から釘穴の内部に挿入された遊技釘の先端部を視認不能に構成しても良く、この場合には遊技板の前面より突出している硬質部としての保持部１１１の一部の突出を視認し易くすることができて、好ましい。
【０１５２】
上記各実施形態においては、硬質部としての保持部１１１又はくびれ部１５２の一部が遊技板５０，２００，３００の前面より前方側に突出する構成としたが、必ずしもこの構成とする必要がなく、硬質部は釘穴５２，２０２，３０２内に完全に入り込んで配置しつつ、上記した締め代又は引き抜き力の設定とすることで、樹脂製の遊技板における遊技球の挙動は好適なものとすることができて好ましい。
【０１５３】
上記各実施形態における特定遊技釘１００ａが設けられる特定部位６１は、上記実施形態における部位に限らず、他の部位としても良く、この場合に、遊技釘の角度調整として傾斜が大きかったり、遊技球が頻繁に当接したり、遊技球が高速で当接する部位を特定部位として設定することが好ましい。また、上記各実施形態における遊技釘１００，１５０と釘穴５２，２０２，３０２とを組合せた遊技釘と釘穴との係わり合う係合構造について、上記各実施形態に記載の１の係合構造を１のパチンコ機に設けられる全ての遊技釘に対して適用しても良く、特定遊技釘１００ａと一般遊技釘１００ｂとに分けて２種類の係合構造を１のパチンコ機に適用しても良く、３種類以上の係合構造を１のパチンコ機に適用しても良い。
【０１５４】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機として実施しても良い。また、大当たり図柄が表示された後に、所定の領域に球が入賞することを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球等の各種遊技機として実施するようにしても良い。
【０１５５】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０１５６】
＜特徴Ａ群＞
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定されるものであり、この遊技板として、以前はベニヤ等の木材が用いられ、近年では樹脂製の板材または成形品も使用されている。特に透明樹脂製の遊技板を用いることで、遊技板の背面側に設けた発光体等の装飾部材を遊技者から視認可能とすることができ、装飾部品の設置領域を従来以上に拡大することができる（例えば、特開２００８−１６１６３８号参照）。
【０１５７】
しかしながら、樹脂製の遊技板に打ち込まれた遊技釘は、木製の遊技板に打ち込まれた遊技釘に比べて遊技釘を調整する感触が異なるものであり、従来通りには調整することができず、その調整をし過ぎると遊技釘が折れてしまうという問題点がある。
【０１５８】
＜特徴Ａ１＞
遊技球が前面側を流下する樹脂製の遊技板（遊技板５０，２００，３００）と、該遊技板の前面が向く前方側に突出するようにして設けられる遊技釘（遊技釘１００，１５０）とを備えた遊技機（パチンコ機１０）において、
前記遊技釘は、前記前方側に突出する突端部に設けられる頭部（頭部１０２）と、該頭部の外径より細い外径で前記遊技板の前面より前記遊技板の裏面側に続く長さに形成された軸部（軸部１０１，１５１）とを備え、前記遊技板に予め形成される穴部（釘穴５２，２０２，３０２）に対して前記遊技板の前面側より前記軸部が挿入されて前記遊技板に保持されるものであり、
前記軸部には、前記遊技板の穴部に保持可能な所定の外径に形成された保持部（保持部１１１）と、
前記遊技板の前面より前記前方側に位置し、遊技球が当接する当接部（当接部１１３）とが設けられ、
前記軸部における前記保持部と前記当接部との間の一部（くびれ部１５２）、または前記保持部は、前記軸部の軸方向に沿って前記当接部より表面が硬い硬質部とされ、
前記遊技釘は、前記遊技板の前面に対して前記前方側に前記硬質部の一部が僅かに突出し、前記遊技板の前面に対して前後両側に前記硬質部が位置する状態で前記遊技板に保持されていることを特徴とする遊技機。
【０１５９】
特徴Ａ１記載の遊技機によれば、樹脂製の遊技板における遊技釘の調整作業を好適に行うことができる。すなわち、遊技釘の硬質部が遊技板の前面に対して前後両側に位置するので、遊技板の前面における穴部の縁部分に遊技釘が接触することがあっても、その部位は当接部よりも硬質な部位である。よって、穴部の縁部分と遊技釘との当接による遊技釘の折損を抑制することができ、樹脂製の遊技板における遊技釘の調整作業を好適に行うことができる。
【０１６０】
また、硬質部が遊技板の前面より僅かに突出した状態とされるため、硬質部と硬質部より軟質の部位との境界位置を視認することで遊技釘が規定位置にあるか否かを容易に確認することができ、遊技釘を規定位置に管理し易くすることができる。また、透明な遊技板とした場合には、硬質部の一部が遊技板の前面より前方側に突出していても、その突出量は僅かであり、また硬質部の全部が遊技板の前面より奥側にあっても硬質部が透視できるため、硬質部が完全に遊技板の前面より奥側に入り込んでいるものとの見た目に大差がない。よって、遊技機としての見栄えを従来における樹脂製の遊技板を用いた遊技機と同等としつつ、遊技釘を規定位置に管理しやすい遊技機とすることができ、一層遊技釘の調整作業を好適に行うことができる。
【０１６１】
なお、特徴Ａ１における硬質部が僅かに突出するとは、軸部の軸方向に沿った硬質部の長さに対して略５分の１以下の少量だけ突出するとしても良い。かかる構成とすることにより、硬質部を形成したことによる遊技釘の疲労強度等の耐久性を高く維持しつつ、遊技球の調整作業が容易な遊技機とすることができる。
【０１６２】
＜特徴Ａ２＞
前記遊技釘は、前記遊技板の前面より前記前方側に前記硬質部が０．５ｍｍ以下の長さで突出した状態で前記遊技板に保持されていることを特徴とする特徴Ａ１記載の遊技機。
【０１６３】
＜特徴Ａ３＞
前記遊技板の穴部として形成した内径と前記保持部の外径との差に相当する締め代が、略０．１８ｍｍから略０．２２ｍｍまでの範囲内に設定されていることを特徴とする特徴Ａ１またはＡ２に記載の遊技機。
【０１６４】
特徴Ａ３記載の遊技機によれば、樹脂製の遊技板における遊技釘の引き抜きに対抗する保持力が低く抑えられる。この保持力の低下により、遊技釘の角度調整における感触が柔らかくて作業性が良く、また、遊技釘に当接する遊技球の挙動が木製の遊技板における遊技球の挙動に近く、熟練の遊技者も親しみ易い遊技機を提供することができる。
【０１６５】
なお、特徴Ａ３に記載の遊技機における締め代は、略０．１９ｍｍから略０．２１ｍｍの範囲内に設定されていることが更に好ましい。また、特徴Ａ２に記載の遊技機における保持部は、前記当接部の外径に対し、外径が略１．１倍から略１．３倍で、軸方向における長さが略１．５から略３倍に設定されていることが好ましい。
【０１６６】
＜特徴Ｂ群＞
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定されるものであり、この遊技板として、以前はベニヤ等の木材が用いられ、近年では樹脂製の板材または成形品も使用されている。特に透明樹脂製の遊技板を用いることで、遊技板の背面側に設けた発光体等の装飾部材を遊技者から視認可能とすることができ、装飾部品の設置領域を従来以上に拡大することができる（例えば、特開２００８−１６１６３８号参照）。
【０１６７】
しかしながら、遊技板の材質により遊技釘の保持状態が異なり、遊技球の挙動も異なるものとなり易い。このため、木製の遊技板を用いたパチンコ機の遊技球の挙動に慣れた遊技者にとっては、樹脂製の遊技板を用いたパチンコ機の遊技球の挙動に違和感を感じる可能性があるという問題点がある。
【０１６８】
＜特徴Ｂ１＞
遊技球が前面側を流下する樹脂製の遊技板と、該遊技板の前面が向く前方側に突出するようにして設けられる複数の遊技釘とを備えた遊技機において、
前記遊技釘は、前記前方側に突出する突端部に設けられる頭部と、該頭部の外径より細い外径で前記遊技板の前面より前記遊技板の裏面側に続く長さに形成された軸部とを備え、前記遊技板に予め形成される穴部に対して前記遊技板の前面側より前記軸部が挿入されて前記遊技板に保持されるものであり、
前記軸部には、前記遊技板の穴部に保持可能な所定の外径に形成された保持部が設けられ、
前記遊技板の穴部として形成した内径と前記保持部の外径との差に相当する締め代として、該締め代の減少に対して前記遊技釘の引き抜き力が次第に低下する徐変範囲と、該徐変範囲に比べて、前記締め代が少なく前記締め代の減少に対して前記引き抜き力が大きく低下する急変範囲とのうち、該急変範囲における所定量以上の締め代が前記複数の遊技釘の少なくとも一部の締め代として設定されていることを特徴とする遊技機。
【０１６９】
＜特徴Ｂ２＞
遊技球が前面側を流下する樹脂製の遊技板と、該遊技板の前面が向く前方側に突出するようにして設けられる複数の遊技釘とを備えた遊技機において、
前記遊技釘は、前記前方側に突出する突端部に設けられる頭部と、該頭部の外径より細い外径で前記遊技板の前面より前記遊技板の裏面側に続く長さに形成された軸部とを備え、前記遊技板に予め形成される穴部に対して前記遊技板の前面側より前記軸部が挿入されて前記遊技板に保持されるものであり、
前記軸部には、前記遊技板の穴部に保持可能な所定の外径に形成された保持部が設けられ、
前記遊技板の穴部として形成した内径と前記保持部の外径との差に相当する締め代として、前記遊技釘の引き抜き力が略２５０Ｎから略５００Ｎの範囲内となる締め代が前記複数の遊技釘の少なくとも一部の締め代として設定されていることを特徴とする遊技機。
【０１７０】
特徴Ｂ１およびＢ２記載の遊技機によれば、樹脂製の遊技板における遊技球の挙動が好適な遊技機を提供することができる。すなわち、樹脂製の遊技板における遊技釘の引き抜き力が低く抑えられた締め代とされているので、遊技釘の保持力が従来より低く抑えられる。この保持力の低下により、遊技釘の角度調整における感触が柔らかくて作業性が良く、また、遊技釘に当接する遊技球の挙動が木製の遊技板における遊技球の挙動に近く、熟練の遊技者も親しみ易い遊技機を提供することができる。
【０１７１】
＜特徴Ｂ３＞
前記複数の遊技釘は、前記遊技板の穴部または前記遊技釘の保持部のうち少なくとも一方の形状又は内径若しくは外径が異なる複数種類の係合構造により前記遊技板に保持されていることを特徴とする特徴Ｂ１またはＢ２記載の遊技機。
【０１７２】
＜特徴Ｃ１＞
遊技球が前面側を流下する樹脂製の遊技板と、該遊技板の前面が向く前方側に突出するようにして設けられる複数の遊技釘とを備えた遊技機において、
前記遊技釘は、前記前方側に突出する突端部に設けられる頭部と、該頭部の外径より細い外径で前記遊技板の前面より前記遊技板の裏面側に続く長さに形成された軸部とを備え、前記遊技板に予め形成される穴部に対して前記遊技板の前面側より前記軸部が挿入されて前記遊技板に保持されるものであり、
前記軸部には、前記遊技板の穴部に保持可能な所定の外径に形成された保持部と、
前記遊技板の前面より前記前方側に位置し、遊技球が当接する当接部とが設けられ、
前記複数の遊技釘は、前記遊技板の穴部または前記遊技釘の保持部のうち少なくとも一方の形状又は内径若しくは外径が異なる複数種類の係合構造により前記遊技板に保持されていることを特徴とする遊技機。
【０１７３】
特徴Ｂ３またはＣ１記載の遊技機によれば、大きな角度調整が施される遊技釘や入賞口への入賞に影響しやすい遊技釘等、一部の遊技釘に対しての引き抜き力のみが低くなるように設定して遊技釘の調整作業および遊技球の挙動を好適なものとしつつ、他の遊技釘に対しては引き抜き力を高く設定して製造コストや加工性を重視した構造を採用することができる。
【０１７４】
なお、特徴Ｂ３またはＣ１の記載における「複数種類の係合構造」とは、複数種類の係合状態、または、複数種類の組合せとしても良く、遊技釘の保持部と遊技板の穴部との係わり合う状態として遊技釘の保持部と遊技板の穴部の少なくとも一方側の寸法若しくは形状またはこれらの組合せが同一でなく異なる組合せとされていることとしても良い。
【０１７５】
また、特徴Ｂ３またはＣ１記載の遊技機において、遊技機に用いる全ての遊技釘を形状および寸法が同一の共通の遊技釘とし、遊技板の穴部の形状により引き抜き力を変化させることが好ましく、この穴部の形状としては、遊技釘の軸方向に沿って保持部を保持する区間の長さを変化させることが好ましく、更には、遊技板の前面側における穴部の内径が奥側に比べて大きな段付きの穴部とし、その奥側における小径の穴部にて保持される遊技釘と、該小径の穴部が遊技板の前面側まで連続した穴部に保持される遊技釘とを備えた遊技機とすることが製造コストおよび管理コストを低減することができて好適である。
【０１７６】
＜特徴Ｄ群＞
従来、遊技機の代表例としてパチンコ機がある。パチンコ機は、例えば、遊技球が流下する遊技領域を形成する遊技盤を備え、遊技領域には、遊技球が入賞した場合に遊技球が払い出される入賞口と、その入賞口へ遊技球を導く通路と入賞口に入賞しないでアウト口へ導く通路とを形成する多数の遊技釘が設けられている。多数の遊技釘は、遊技盤の外形を形成する遊技板に打ち込まれて固定されるものであり、この遊技板として、以前はベニヤ等の木材が用いられ、近年では透明樹脂製の板材または成形品も使用されている（例えば特開２００８−１６１６３８号公報参照）。
【０１７７】
しかしながら、遊技  板に固定された遊技釘が折損してしまった場合には、元の状態に遊技釘が配置された遊技盤に復元する作業が難しいという問題点がある。
【０１７８】
＜特徴Ｄ１＞
交換の対象とする交換対象の遊技釘に押圧力を付与して遊技板から前記交換対象の遊技釘を押し出す押し出し操作に使用可能な遊技釘交換具（遊技釘交換具５００）であって、
遊技釘が打ち込まれた遊技板の一部を配置可能な所定の配置空間（遊技板用凹み部５３３）を隔てて設けられる複数の支持部と、該複数の支持部を連結する本体部（本体部５４１）とを有するベース部材（ベース部材５１１）と、
該ベース部材に設けられる支持部の一方を構成する第１支持部（先端側突出部５４４、基端側突出部５４５）に支持され、他方の第２支持部（受け側突出部５４３）から離間する第１方向側と前記第２支持部に近づく第２方向側とに移動可能であって、前記移動方向に略平行に延びる軸を中心とした一方側へ所定の操作部（ハンドル部５５２）を回動操作した場合に前記第１方向側へ移動し、他方側へ前記操作部を回動操作した場合に前記第２方向側へ移動して前記遊技釘に押圧力を付与する押出用作動部材（押出用作動部材５６２）と、
前記第２支持部に対して前記移動方向に沿った軸を中心軸として回動可能に設けられ、前記遊技板が配置される前記配置空間側に向く面側に、前記第２支持部に近い側に位置する第１受け部（受け部材５１３の傾斜面の一部）と該第１受け部より前記第２支持部から離間した側に位置する第２受け部（受け部材５１３の傾斜面の一部）とが形成される受け部材（受け部材５１３）とを備え、
前記受け部材の第１受け部と第２受け部とに前記遊技板の前面又は後面を当接させた場合に、前記遊技板の前面または後面が前記移動方向に対して傾斜した状態で前記遊技板に前記受け部材が当接するように構成されていることを特徴とする遊技釘交換具。
【０１７９】
特徴Ｄ１記載の遊技釘交換具によれば、折損した遊技釘を交換の対象として遊技板から除去することができる。すなわち、遊技釘の交換作業に適した工具として遊技釘交換具を使用し、遊技釘が折損してしまった場合に、元の遊技釘の配置状態に復元し易くすることが可能な遊技釘交換具を提供することができる。
【０１８０】
また、受け部材の第１受け部と第２受け部との両方に遊技板を当接させた場合、遊技板の前面又は後面が押出用作動部材の移動方向に対して傾斜した状態で遊技板に受け部材が当接する。よって、押出用作動部材が遊技釘に当接して遊技釘を移動させる程度に大きな押圧力が作用しても、遊技板の前面または後面に対して傾斜した遊技釘の軸方向に沿って押出用作動部材が進行し易いものとなる。そして、受け部材は、押出用作動部材の移動方向に沿った軸を中心軸として回動可能に設けられているので、遊技釘交換具のベース部材を遊技釘に対して作業者が作業し易い方向側から近づけて遊技釘の交換作業を行うことができる。したがって、遊技釘の交換作業に不慣れな作業者でも、比較的容易に遊技釘の交換を行うことができる。特に、合成樹脂により透明な遊技板に固定された遊技釘の交換作業においては、遊技板に傷が付くと見栄えが大きく損なわれる一方、木製の遊技板に比べて遊技釘の交換作業の実績が少なく作業がし難いものであるので、遊技釘交換具を使用した交換作業によって、これら不具合を防止し、遊技釘の交換作業を効率良く実施することができる。
【０１８１】
なお、特徴Ｄ１の記載における「遊技板の前面または後面が移動方向に対して傾斜した状態」とは、遊技板の前面の向く方向に対して遊技釘が傾斜して突出する傾斜角度に略一致した角度分、遊技板の前面または後面が移動方向に対して傾斜した状態としても良い。
【０１８２】
＜特徴Ｄ２＞
前記ベース部材の第２支持部側には、前記押出用作動部材側が入口側として開口し、前記第２方向側に延びた形状の押出釘用穴部（穴部６１３）が形成され、
該押出釘用穴部は、予め設定された設置状態における遊技板の後面に前記第１受け部と前記第２受け部とを当接させると共に前記押出用作動部材の移動方向と前記遊技釘が差し込まれる釘穴の軸方向とを略一致させた場合に、底側となる面が奥側に向けて下降傾斜する形状に形成されていることを特徴とする特徴Ｄ１記載の遊技釘交換具。
【０１８３】
特徴Ｄ２記載の遊技釘交換具によれば、押出用作動部材によって交換対象の遊技釘が押し出された場合に下降傾斜した押出釘用穴部の奥底側に遊技釘が進行しやすい。このため、交換対象の遊技釘が遊技板の後面側に落下し、遊技球の流下を妨害する等の不具合の発生を抑制することができ、遊技板が遊技機に取り付けられた状態のままで遊技釘の交換作業を安全に行うことができる。
【０１８４】
なお、特徴Ｄ２の記載における「予め設定された設置状態における遊技板」とは、遊技場に設置される設計上の設置状態としても良く、または、遊技板の厚み方向が略水平方向に向いた遊技板としても良いし、遊技板に遊技釘が突出して設けられる前面側が僅かに（例えば、略５度）上向きに傾いて設置された遊技板としても良い。
【０１８５】
＜特徴Ｄ３＞
前記押出用作動部材における前記受け部材側の端部を挿通可能な貫通穴が形成されると共に、前記受け部材側を向く面として、前記第１支持部に近い側に位置する近接部位と、該近接部位より前記第１支持部から離間した側に位置する離間部位とが形成され、前記移動方向に沿った軸を中心軸として回動可能で前記第１支持部と前記受け部材との間に設けられたスペーサ部材（スペーサ５２２）を備え、
前記スペーサ部材の前記近接部位および前記離間部位は、前記受け部材の第１受け部と第２受け部とに前記遊技板の前面又は後面の一方側を当接させた場合に、前記遊技板の他方側にいずれも当接可能な相対位置に設定され、
前記遊技板の前面または後面が前記移動方向に対して傾斜した状態で前記遊技板に前記受け部材および前記スペーサ部材が当接するように構成されていることを特徴とする特徴Ｄ１又はＤ２記載の遊技釘交換具。
【０１８６】
特徴Ｄ３記載の遊技釘交換具によれば、スペーサ部材と受け部材とによって、遊技板の前面側および後面側に対して予め定めた押出用作動部材の移動方向を遊技釘の軸方向に沿って傾斜させた向きに遊技釘交換具を設置しやすくすることができ、遊技釘の交換作業を効率良く実施することができる。
【０１８７】
なお、特徴Ｄ３記載の遊技釘交換具において、スペーサ部材および受け部材の外周面には、スペーサ部材および受け部材の回動中心軸に対し、受け部材の第１受け部側とスペーサ部材の離間部位側とが一方側に位置し、受け部材の第２受け部側とスペーサ部材の近接部位側とが逆側に位置した状態において、前記回動中心軸に対して同一の所定方向側であって作業者が視認可能な確認部（縦溝部５２２ａ、固定ねじ５２３）が設けられることとしても良い。作業者は、確認部を目印にしてスペーサ部材および受け部材の向きを遊技板の前面および後面に対して適した所定の向きに設定し易く、遊技釘の交換作業を一層効率良く実施することができる。
【０１８８】
＜特徴Ｄ４＞
遊技板の一方側に突出する突端部に設けられる頭部と、該頭部の外径より細い外径に形成された軸部とを有し、該軸部側の先端部が遊技板に保持される遊技釘の差し込み操作に使用可能な遊技釘交換具であって、
遊技釘が打ち込まれた遊技板の一部を配置可能な所定の配置空間（遊技板用凹み部５３３）を隔てて設けられる複数の支持部と、該複数の支持部を連結する本体部（本体部５４１）とを有するベース部材（ベース部材５１１）と、
該ベース部材に設けられる支持部の一方を構成する第１支持部（先端側突出部５４４、基端側突出部５４５）に支持され、他方の第２支持部（受け側突出部５４３）から離間する第１方向側と前記第２支持部に近づく第２方向側とに移動可能であって、前記移動方向に平行に延びる軸を中心とした一方側へ所定の操作部（ハンドル部５５２）を回動操作した場合に前記第１方向側へ移動し、他方側へ前記操作部を回動操作した場合に前記第２方向側へ移動して前記遊技釘に押圧力を付与する差込用作動部材（差込用作動部材５７２）と、
前記第２支持部側にて前記遊技板が配置される前記配置空間側に向く面を形成する受け部材（受け部材５１３）と、
一端側が前記受け部材側に開口し、前記遊技釘の前記頭部より細軸で前記差込用作動部材の移動方向に沿って延びる釘軸用孔部（先端側孔５９７）と、該釘軸用孔部の他端側にて前記差込用作動部材の移動方向に沿って長く形成され、前記釘軸用孔部より大径に設けられると共に、前記差込用作動部材の一端部であって前記遊技釘の頭部に押圧力を作用させる押圧部の軸周りを支持する押圧部用孔部（基端側支持孔５９８）と、前記釘軸用孔部および前記押圧部用孔部に対して、前記差込用作動部材の移動方向に交差する一方側に貫通形成された遊技釘取り出し部（貫通溝５９９）とを有する釘支持部材（差込用支持部材５７１）とを備えていることを特徴とする遊技釘交換具または特徴Ｄ１からＤ３のいずれかに記載の遊技釘交換具。
【０１８９】
特徴Ｄ４記載の遊技釘交換具によれば、新たな遊技釘を遊技板に差し込み固定する際に使用することができる。すなわち、遊技釘の交換作業に適した工具として遊技釘交換具を使用し、遊技釘が折損してしまった場合に、元の遊技釘の配置状態に復元し易くすることが可能な遊技釘交換具を提供することができる。
【０１９０】
また、釘軸用孔部および押圧部用孔部によって遊技釘の周囲を支持させて安定した状態の遊技釘に対して差込用作動部材の押圧力を付与することができ、遊技釘を遊技板に差し込み固定し易くすることができる。また、その固定後には、遊技釘の軸方向に交差する方向側であって遊技釘取り出し部が形成される側に遊技釘交換具を移動することで遊技釘交換具を遊技板から簡易に取り外すことができる。よって、遊技釘交換具の取り外し時における遊技板の傷付きを抑制することができる。
【０１９１】
なお、特徴Ｄ１からＤ３に従属する特徴Ｄ４記載の遊技釘交換具によれば、遊技釘交換具の作動部材を交換することにより、遊技釘の押し出し操作と差し込み操作との両方を行うことができる。このため、遊技釘が折損してしまった場合に、元の遊技釘の配置状態に一層復元し易くすることが可能な遊技釘交換具を提供することができる。また、受け部材に第１受け部と第２受け部とが形成されることにより、遊技釘の交換作業に不慣れな作業者でも、差込用作動部材を使用した差し込み操作も比較的容易に行うことができる。
【０１９２】
＜特徴Ｄ５＞
前記遊技釘取り出し部は、前記差込用作動部材の移動方向に交差する一方側のみに貫通形成され、
前記釘支持部材は、前記ベース部材の第１支持部に対して前記移動方向を軸として回動操作可能に取り付けられていることを特徴とする特徴Ｄ４記載の遊技釘交換具。
【０１９３】
特徴Ｄ５記載の遊技釘交換具によれば、遊技釘取り出し部は、前記差込用作動部材の移動方向に交差する一方側のみに貫通形成され、釘支持部材が差込用作動部材の移動方向を軸として、ベース部材の第１支持部に対して回動操作可能とされている。このため、略水平に突出して差し込まれる遊技釘の下側部分を釘支持部材によって支持された状態にしつつ、釘支持部材に対して遊技釘交換具のベース部材をいずれの方向側にも配置することができる。よって、遊技釘交換具による遊技釘の差し込み操作を簡易且つ安定した状態で実施することができる。また、遊技釘の固定後には、遊技釘取り出し部が形成される側に遊技釘交換具を移動することとなるが、この遊技釘取り出し部の向きを釘支持部材の回動操作によって変化させることができ、遊技釘交換具が取り外し易い方向側に遊技釘取り出し部を向けて遊技釘交換具を遊技板から一層簡易に取り外すことができる。
【０１９４】
＜特徴Ｄ６＞
前記遊技釘取り出し部は、前記釘支持部材における前記受け部材側の端部より離間する方向側に延びる溝状に形成されており、前記遊技釘の軸部の外径より大きく、釘軸用孔部の内径より小さな一定幅に形成された長溝部（長溝部６０２）と、該長溝部に対して前記受け部材から離間する方向側に設けられ、前記遊技釘の頭部が通過可能な大きさに形成された開口部（開口部６０１）とを有する形状に形成されていることを特徴とする特徴Ｄ４またはＤ５記載の遊技釘交換具。
【０１９５】
特徴Ｄ６記載の遊技釘交換具によれば、長溝部は、釘軸用孔部の内径より小さな一定幅に形成されているので、遊技釘取り出し部が上側を向く場合に限らず、側方を向く場合であっても釘支持部材により安定して支持された状態の遊技釘に対して差し込み操作を行うと共に、遊技釘交換具を遊技板から容易に取り外すことができる。
【０１９６】
＜特徴Ｄ７＞
特徴Ｄ１からＤ６のいずれかに記載の遊技釘交換具によって前記交換対象の遊技釘の押し出し操作および遊技釘の差し込み操作の少なくとも一方の操作が可能な弾球遊技機用の遊技板であって、予め貫通して形成される一定内径の貫通穴部（釘穴５２，２０２，３０２）に前記遊技釘の一端部が保持されている遊技板（遊技板５０，２００，３００）を備えていることを特徴とする遊技機（パチンコ機１０）。
【０１９７】
特徴Ｄ７記載の遊技機によれば、遊技釘が折損してしまった場合に、元の遊技釘の配置状態に復元し易くすることが可能な遊技釘交換具を用いることが可能な遊技機を提供することができる。
【０１９８】
ここで、特徴Ａ１〜Ａ３、特徴Ｂ１〜Ｂ３、特徴Ｃ１及び特徴Ｄ１〜Ｄ７に記載の遊技釘としては、遊技領域に設けられて遊技球の当接により回動する部位が軸部に回動可能に支持された、いわゆる風車を固定するための部材も含まれる。
【０１９９】
なお、特徴Ａ１〜Ａ３、特徴Ｂ１〜Ｂ３、特徴Ｃ１及び特徴Ｄ１〜Ｄ７に記載のいずれか１つの特徴を他のいずれか又は複数の特徴に組み合わせて適用しても良い。以下には、上記した各特徴を適用し得る遊技機の基本構成を示す。
【０２００】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【産業上の利用可能性】
【０２０１】
以上のように、この発明は、パチンコ機等の遊技機に適している。
【符号の説明】
【０２０２】
１０…パチンコ機、５０，２００，３００…遊技板、５２，２０２，３０２…釘穴、１００，１５０…遊技釘、１０１，１５１…軸部、１０２…頭部、１１１…保持部、１１３…当接部、１５２…くびれ部、５００，８００…遊技釘交換具、５１１，８０１…ベース部材、５１３…受け部材、５２２…スペーサ、５３３…遊技板用凹み部、５４１，８０２…本体部、５４３…受け側突出部、５４４…先端側突出部、５４５…基端側突出部、５５２…ハンドル部、５６１，８２１…押出用支持部材、５６２…押出用作動部材、５７１，８３１，８３９，８４１…差込用支持部材、５７２…差込用作動部材、５９７，８４３…先端側孔、５９８，８４２…基端側支持孔、５９９，８３３…貫通溝、６０１…開口部、６０２…長溝部
【図１】
2020121149.tif 000003
【図２】
2020121149.tif 000004
【図３】
2020121149.tif 000005
【図４】
2020121149.tif 000006
【図５】
2020121149.tif 000007
【図６】
2020121149.tif 000008
【図７】
2020121149.tif 000009
【図８】
2020121149.tif 000010
【図９】
2020121149.tif 000011
【図１０】
2020121149.tif 000012
【図１１】
2020121149.tif 000013
【図１２】
2020121149.tif 000014
【図１３】
2020121149.tif 000015
【図１４】
2020121149.tif 000016
【図１５】
2020121149.tif 000017
【図１６】
2020121149.tif 000018
【図１７】
2020121149.tif 000019
【図１８】
2020121149.tif 000020
【図１９】
2020121149.tif 000021
【図２０】
2020121149.tif 000022
【図２１】
2020121149.tif 000023
【図２２】
2020121149.tif 000024
【図２３】
2020121149.tif 000025